(57)【要約】      （修正有）【課題】アクセスクラス規制中であっても、特定のサービスタイプに対しての規制を行わないユーザ機器（ＵＥ）、方法を提供する。【解決手段】ＵＥのＮＡＳレイヤは、ＵＥにより発信されている特定のサービスタイプに対する要求を、上位レイヤから受信し、ＵＥに関連付けられたセルへのアクセスを規制するという指示を、ＵＥの無線リソース制御（ＲＲＣ）レイヤから受信しても、特定のサービスタイプが所定の一式の複数のサービスタイプに一致するとき、セルへのアクセスが規制されるという指示を迂回する。迂回することは、ＲＲＣレイヤがサービス要求に対してＲＲＣ接続を確立することを要求することと、ＲＲＣ接続要求が特定のサービスタイプに対応することとを、ＲＲＣレイヤに通知することとを含む。ＵＥは、ＭＭＴＥＬ音声、ＭＭＴＥＬ動画、およびＳＭＳ等の複数の特定のサービスに対してアクセスクラス規制（ＡＣＢ）の手続きをスキップする。【選択図】図３
2018110444.tif 000002
【特許請求の範囲】
【請求項１】
ユーザ機器（ＵＥ）であって、
前記ＵＥは、非アクセス層（ＮＡＳ）レイヤを実装する処理回路を備え、
前記ＮＡＳレイヤは、
前記ＵＥにより発信される特定のサービスタイプに対する送信要求を、前記ＮＡＳレイヤに対する上位レイヤから受信し、
前記ＵＥに関連付けられたセルへのアクセスが規制されるという指示を、前記ＵＥの無線リソース制御（ＲＲＣ）レイヤから受信し、
前記特定のサービスタイプが所定の一式の複数のサービスタイプに一致するとき、前記セルへの前記アクセスが規制されるという前記指示を迂回し、
前記迂回することは、
前記ＲＲＣレイヤが前記送信要求に対してＲＲＣ接続を確立することを要求することと、
前記ＲＲＣ接続を確立する前記要求が前記特定のサービスタイプに対応することを、前記ＲＲＣレイヤに通知することと
を含むＵＥ。
【請求項２】
前記送信要求は、インターネットプロトコルマルチメディア（ＩＭＳ）要求またはショートメッセージサービス（ＳＭＳ）要求を含む、請求項１に記載のＵＥ。
【請求項３】
前記ＵＥは、
アクセスクラス規制スキップ（ＡＣＢスキップ）の状態に関連する指示を、ネットワークから受信し、
前記アクセスクラス規制スキップの前記状態が、アクセスクラス規制スキップが前記特定のサービスタイプに対してアクティブであることを示すとき、前記ＮＡＳレイヤからの前記要求に基づいて、前記ＲＲＣ接続を確立する、
前記ＲＲＣレイヤを実装する処理回路を更に備える、請求項１または２に記載のＵＥ。
【請求項４】
前記ＲＲＣレイヤは更に、前記ＡＣＢスキップの前記状態が、ＡＣＢスキップが前記特定のサービスタイプに対してアクティブでないことを示すとき、前記ＲＲＣ接続の前記確立を規制する、請求項３に記載のＵＥ。
【請求項５】
前記所定の一式の複数のサービスタイプは、
マルチメディアテレフォニ（ＭＭＴｅｌ）動画、
ＭＭＴｅｌ音声、
ＭＭＴｅｌショートメッセージサービス（ＳＭＳ）、および
ＳＧまたはＳ１０２インタフェースを介するＳＭＳのうち、少なくとも１つを含む、請求項１から４のいずれか１項に記載のＵＥ。
【請求項６】
前記送信要求は、前記ＵＥのインターネットプロトコル（ＩＰ）マルチメディア（ＩＭＳ）レイヤから受信される、請求項１から５のいずれか１項に記載のＵＥ。
【請求項７】
前記送信要求は、ショートメッセージサービス（ＳＭＳ）レイヤから受信される、請求項１から６のいずれか１項に記載のＵＥ。
【請求項８】
前記アクセスクラス規制スキップの前記状態に関連する前記ネットワークからの前記指示は、様々な複数のサービスに対する前記アクセスクラス規制スキップの前記状態を示す１または複数のフィールドを含む、システム情報ブロックタイプ２（ＳＩＢ２）のメッセージを含む、請求項３または４に記載のＵＥ。
【請求項９】
前記通知は、ＲＲＣ確立要因または呼び出しタイプを設定することに基づく、請求項１から８のいずれか１項に記載のＵＥ。
【請求項１０】
前記送信要求は、インターネットプロトコル（ＩＰ）マルチメディア（ＩＭＳ）レイヤから前記ＮＡＳレイヤに、ＡＴコマンドを介して伝達される、請求項１から９のいずれか１項に記載のＵＥ。
【請求項１１】
前記処理回路は、前記特定のサービスが停止されているという指示を、インターネットプロトコル（ＩＰ）マルチメディア（ＩＭＳ）レイヤから受信する、前記ＮＡＳレイヤを更に実装する、請求項１から１０のいずれか１項に記載のＵＥ。
【請求項１２】
輻輳に起因してセルが規制されるというアクセスクラス規制（ＡＣＢ）指示を、ネットワークから、ユーザ機器（ＵＥ）により受信する段階と、
前記ＵＥにより発信される１または複数の特定のサービスに対してＡＣＢが迂回されるべきであるという指示を、前記ネットワークから、前記ＵＥの無線リソース制御（ＲＲＣ）レイヤにより受信する段階と、
前記ＵＥにより発信されているサービスの特定を、前記ＵＥのアプリケーションレイヤから、前記ＵＥの非アクセス層（ＮＡＳ）レイヤへ提供する段階と、
前記サービスに対する無線接続の確立要求を、前記ＮＡＳレイヤから、前記ＲＲＣレイヤにより受信する段階と、
前記サービスの前記提供された特定を、前記ＲＲＣレイヤにより受信する段階と、
前記ＲＲＣレイヤにより受信された前記サービスの前記特定が、ＡＣＢが迂回されるべきであるという前記指示に関連付けられた前記１または複数の特定のサービスに一致するとき、ＡＣＢの前記指示にもかかわらず、前記サービスに対する前記無線接続を、前記ネットワークと共に、前記ＲＲＣレイヤにより確立する段階と
を備える方法。
【請求項１３】
前記サービスは、マルチメディアテレフォニ（ＭＭＴｅｌ）動画の呼び出し、ＭＭＴｅｌ音声の呼び出し、またはＭＭＴｅｌ  ＳＭＳを含む、請求項１２に記載の方法。
【請求項１４】
前記アプリケーションレイヤは、インターネットプロトコル（ＩＰ）マルチメディア（ＩＭＳ）レイヤを含む、請求項１２または１３に記載の方法。
【請求項１５】
前記サービスは、ＳＧまたはＳ１０２インタフェースを介するショートメッセージサービス（ＳＭＳ）サービスを含み、前記アプリケーションレイヤは、ＳＭＳレイヤを含む、請求項１２から１４のいずれか１項に記載の方法。
【請求項１６】
ＡＣＢが迂回されるべきであるという前記ネットワークからの前記指示は、迂回されるべき前記１または複数の特定のサービスを示す１または複数のフィールドを含む、システム情報ブロックタイプ２（ＳＩＢ２）のメッセージとして受信される、請求項１２から１５のいずれか1項に記載の方法。
【請求項１７】
前記サービスの前記特定の前記提供する段階は、ＡＴコマンドを介して実行される、請求項１２から１６のいずれか１項に記載の方法。
【請求項１８】
いつ前記サービスが停止したかという指示を、インターネットプロトコル（ＩＰ）マルチメディア（ＩＭＳ）レイヤから、前記ＮＡＳレイヤに提供する段階を更に備える、請求項１２から１７のいずれか１項に記載の方法。
【請求項１９】
複数のプロセッサ実行可能命令を格納する非一時的メモリデバイスと、
前記複数のプロセッサ実行可能命令を実行するプロセッサと
を備えるユーザ機器（ＵＥ）であって、
前記複数のプロセッサ実行可能命令を実行することは、前記プロセッサに、
輻輳に起因してセルが規制されるというアクセスクラス規制（ＡＣＢ）指示を、セルラーネットワークから受信させ、
前記ＵＥにより発信される１または複数の特定のサービスに対してＡＣＢが迂回されるべきであるという指示を、ネットワークから、前記ＵＥの無線リソース制御（ＲＲＣ）レイヤにより受信させ、
前記ＵＥにより発信されているサービスの特定を、前記ＵＥのアプリケーションレイヤから、前記ＵＥの非アクセス層（ＮＡＳ）レイヤへ提供させ、
前記サービスに対する無線接続の確立要求を、前記ＮＡＳレイヤから、前記ＲＲＣレイヤによって受信させ、
前記サービスの前記提供された特定を、前記ＲＲＣレイヤにより受信させ、
前記ＲＲＣレイヤにより受信された前記サービスの前記特定が、ＡＣＢが迂回されるべきという指示に関連付けられた前記１または複数の特定のサービスに一致するとき、前記サービスに対する前記無線接続を、前記ネットワークと共に、前記ＲＲＣレイヤにより確立させる、ＵＥ。
【請求項２０】
前記サービスは、マルチメディアテレフォニ（ＭＭＴｅｌ）動画の呼び出し、ＭＭＴｅｌ音声の呼び出し、またはＭＭＴｅｌ  ＳＭＳを含む、請求項１９に記載のＵＥ。
【請求項２１】
前記アプリケーションレイヤは、インターネットプロトコル（ＩＰ）マルチメディア（ＩＭＳ）レイヤを含む、請求項２０に記載のＵＥ。
【請求項２２】
前記サービスは、ＳＧまたはＳ１０２インタフェースを介するショートメッセージサービス（ＳＭＳ）サービスを含み、前記アプリケーションレイヤは、ＳＭＳレイヤを含む、請求項１９から２１のいずれか１項に記載のＵＥ。
【請求項２３】
ＡＣＢが迂回されるべきという前記ネットワークからの前記指示は、迂回されるべき前記１または複数の特定のサービスを示す１または複数のブール値フィールドを含む、システム情報ブロックタイプ２（ＳＩＢ２）のメッセージとして受信される、請求項２２に記載のＵＥ。
【請求項２４】
前記サービスの前記特定の前記提供する段階は、ＡＴコマンドを介して実行される、請求項１９から２３のいずれか１項に記載のＵＥ。
【請求項２５】
前記複数のプロセッサ実行可能命令は更に、前記プロセッサにより実行されると、前記プロセッサに、前記サービスがいつ停止したかという指示を、インターネットプロトコル（ＩＰ）マルチメディア（ＩＭＳ）レイヤから、および前記ＮＡＳレイヤに提供させる、請求項１９から２４のいずれか１項に記載のＵＥ。
【発明の詳細な説明】
【技術分野】
【０００１】
［関連出願］  本願は、２０１４年１月３１日出願の米国仮特許出願第６１／９３３、８８０号、および２０１４年３月１４日出願の米国仮特許出願第６１／９５３、６６９号の利益を主張し、それらの出願の両方が、完全に本明細書に記載されているものとして、参照することにより本明細書に組み込まれる。
【背景技術】
【０００２】
スマートフォン使用の急速な増加に起因して、複数のワイヤレスネットワークオペレータは、通常動作中でさえも、シグナリングとユーザトラフィックとの高負荷に対処する上で問題に直面し得る。この問題は、ユーザ生成ネットワークおよび／またはアプリケーション生成ネットワークの使用がある時間中および／またはあるエリアにおいて集中され得るときで、無線アクセスネットワーク（ＲＡＮ）および／またはコアネットワーク（ＣＮ）において輻輳を引き起こす可能性のある、災害および／または複数の新年のイベント、複数のスポーツ試合等といった複数の公共行事の発生中により顕著になり得る。
【０００３】
複数のネットワーク輻輳状況において、ネットワークオペレータは複数の他のアクセスタイプよりも緊急アクセスまたは高優先度のアクセスを優先し、通常のデータよりも無線リソース制御（ＲＲＣ）メッセージ／非アクセス層（ＮＡＳ）メッセージを優先し、および／または複数の非音声サービスよりも複数の音声サービスを優先しようとする場合がある。トラフィックの優先順位付けをすることへの可能性のある一解決策は、マルチメディアテレフォニ（ＭＭＴｅｌ）音声、ＭＭＴｅｌ動画、ショートメッセージサービス（ＳＭＳ）（例えば、ＭＭＴｅｌ  ＳＭＳ、ＳＧｓ上のＳＭＳ、およびＳ１０２上のＳＭＳ）等、ある複数のアプリケーションに対して、複数のアクセスクラス規制（ＡＣＢ）手続きをスキップする、アイドルモードの複数のユーザ機器デバイス（ＵＥｓ）を構成することに基づく。
【０００４】
ＡＣＢは、第３世代パートナーシッププロジェクト（３ＧＰＰ）規格において実装されるとおり、複数のネットワークオペレータが、異常な数の通信セッション（例えば、電話の呼び出し）をネットワーク内で同時に試みるという、緊急事態により生じる輻輳のようなネットワークの輻輳を管理することを可能とする手法である。ＡＣＢは、複数の緊急対応要員等のパブリックセーフティ（ＰＳ）関係者並びに複数のパブリックセーフティアンサリングポイント（ＰＳＡＰｓ）への複数の一般的緊急呼び出しが、ネットワーク上で優先権を有することを可能とし得る解決策である。
【０００５】
ＡＣＢにおいて、各ＵＥは、アクセスクラス（ＡＣ）０から９と定義された、１０の無造作に割り振られたモバイルポピュレーションの中から１つのメンバーシップを有するよう割り当てられ得る。特定のＵＥのアクセスクラスが、そのＵＥにより格納され得る。更に、複数のＵＥは、５つの特別なカテゴリ（アクセスクラス１１から１５）の中から１または複数のメンバであり得る。５つの特別なカテゴリは、複数の特定の高優先度のユーザに以下、クラス１５−公衆陸上移動ネットワーク（ＰＬＭＮ）スタッフ、クラス１４―非常事態サービス、クラス１３−公共事業、クラス１２−セキュリティサービス、クラス１１−ＰＬＭＮ使用、と割り振られ得る。
【０００６】
輻輳を生み出す緊急事態等の過負荷状況の場合、ネットワークオペレータは、ネットワークへのアクセスを減らすべく、ＡＣＢを使用することを選択し得る。ネットワークオペレータは、どの複数のアクセスクラスが規制されているかを示すメッセージを送信し得る。許可されたアクセスクラスのメンバでない複数のＵＥは、ネットワーク上のある複数の通信をブロックし得、または反対に許可し得ない。非緊急（通常）の輻輳状況のようないくつかの状況において、複数のネットワークオペレータは、アクセスクラス規制速度および／または規制時間を設定する等で輻輳を制御すべく、ＡＣＢを使用し得る。更に、ＡＣＢに関連する複数の規制パラメータは、モバイル発信データの試みおよびモバイル発信シグナリングの試みとは独立して構成される可能性があり得る。
【図面の簡単な説明】
【０００７】
本発明の複数の実施形態は、複数の添付図面と併用して、以下の詳細な説明により容易に理解されよう。この説明を容易にすべく、複数の同様の参照番号が、複数の同様の構造要素を明示し得る。発明の複数の実施形態は、複数の添付図面の複数の図において、限定としてではなく、例として示される。
【図１】本明細書において説明される、複数のシステムおよび／または複数の方法が実装され得る、例示の環境の図である。
【図２】ＡＣＢスキップを実行するためのプロセスの例を示すフローチャートである。
【図３】複数のＩＰマルチメディア（ＩＭＳ）サービスに対するＡＣＢスキップに関連する複数の動作を示す図である。
【図４】複数のＩＰマルチメディア（ＩＭＳ）サービスに対するＡＣＢスキップに関連する複数の動作を示す図である。
【図５】複数のＳＭＳサービスに対するＡＣＢスキップに関連する複数の動作を示す図である。
【図６】複数のＳＭＳサービスに対するＡＣＢスキップに関連する複数の動作を示す図である。
【図７】ＡＣＢスキップを実装するための複数の可能な実装を更に詳細に示す図である。
【図８】ＡＣＢスキップを実装するための複数の可能な実装を更に詳細に示す図である。
【図９】ＡＣＢスキップを実装するための複数の可能な実装を更に詳細に示す図である。
【図１０】ＡＣＢスキップを実装するための複数の可能な実装を更に詳細に示す図である。
【図１１】ＡＣＢスキップを実装するための複数の可能な実装を更に詳細に示す図である。
【図１２】ＡＣＢスキップを実装するための複数の可能な実装を更に詳細に示す図である。
【図１３】複数の標準停止指示が用いられる、サンプルの通信セッションに関連付けられた、複数の通信の例示のタイムラインを示す図である。
【図１４】停止指示および開始指示を生成するための複数の動作に関連する、複数の異なる実装を示す図である。
【図１５】停止指示および開始指示を生成するための複数の動作に関連する、複数の異なる実装を示す図である。
【図１６】停止指示および開始指示を生成するための複数の動作に関連する、複数の異なる実装を示す図である。
【図１７】デバイスの例示のコンポーネントの図である。
【発明を実施するための形態】
【０００８】
以下の詳細な説明は、複数の添付図面を参照する。複数の異なる図面における複数の同一の参照番号は、複数の同一または同様の構成要素を識別し得る。複数の他の実施形態が利用され得、本開示の範囲を逸脱することなく、複数の構造上の変更または複数の論理上の変更が行われ得ることが理解されよう。したがって、以下の詳細な説明は、限定的な意味に解釈されるのではなく、本発明に従った複数の実施形態の範囲は、複数の添付の請求項およびそれらの均等物により定義される。
【０００９】
本明細書における説明は、ＵＥが、複数のロングタームエボリューション（ＬＴＥ）ネットワークまたは複数の他のネットワーク等の複数のワイヤレスネットワークにおけるアクセスクラス規制（ＡＣＢ）の手続きをスキップするか否かを、ネットワークが示し得る複数の手法に関連する。ＡＣＢのスキップに関連する機能は、「ＡＣＢスキップ」、「ＡＣＢスキップ機能」、「ＡＣＢを迂回する」、またはセルへのアクセスが規制されないとみなされる他の用語で呼ばれ得る。ＡＣＢスキップは、ＭＭＴＥＬ音声、ＭＭＴＥＬ動画、およびＳＭＳ等の複数の特定のサービスに対して実行され得る。ＡＣＢスキップに関連する通知は、アイドルモードの複数のＵＥに到達すべく、ブロードキャストチャネルを介して複数のＵＥに送信され得る。
【００１０】
いくつかの状況において、ネットワークオペレータが、緊急アクセスおよび他のネットワークアクセスよりも複数の高優先度のネットワークアクセスを優先し、通常のデータよりもＲＲＣメッセージ／ＮＡＳメッセージを優先し、および／または他のデータよりも複数の音声サービスを優先することが望ましいとされ得る。本明細書において説明される複数の態様に一致して、ある複数のアプリケーションまたは複数の一定のサービスに対して（すなわち、アプリケーション／サービス毎に基づいて）、複数の通常のネットワークのＡＣＢの手続きを無視またはスキップする（ＡＣＢスキップ）ＵＥに基づいて、ネットワークトラフィックの優先順位付けを実装すべく、複数の手法が説明される。
【００１１】
本明細書において説明される一実装は、ユーザ機器（ＵＥ）であって、ＵＥは、非アクセス層（ＮＡＳ）レイヤを実装する処理回路を備え、ＮＡＳレイヤは、ＵＥにより発信される特定のサービスタイプに対する送信要求を、ＮＡＳレイヤに対する上位レイヤから受信し、ＵＥに関連付けられたセルへのアクセスが規制されるという指示を、ＵＥの無線リソース制御（ＲＲＣ）レイヤから受信し、特定のサービスタイプが所定の一式の複数のサービスタイプに一致するとき、セルへのアクセスが規制されるという指示を迂回する、ＵＥを含み得る。迂回することは、ＲＲＣレイヤがサービス要求に対してＲＲＣ接続を確立することを要求することと、ＲＲＣ接続を確立する要求が特定のサービスタイプに対応することを、ＲＲＣレイヤに通知することとを含み得る。送信要求は、インターネットプロトコルマルチメディア（ＩＭＳ）要求またはショートメッセージサービス（ＳＭＳ）要求を含み得る。
【００１２】
ＵＥは、アクセスクラス規制スキップの状態に関連する指示をネットワークから受信し、アクセスクラス規制スキップの状態が、アクセスクラス規制スキップが特定のサービスタイプに対してアクティブであることを示すとき、ＮＡＳレイヤからの要求に基づいてＲＲＣ接続を確立する、ＲＲＣレイヤを実装する処理回路を更に備え得る。  ＲＲＣレイヤは更に、ＡＣＢスキップ状態が、ＡＣＢスキップが特定のサービスタイプに対してアクティブでないことを示すとき、ＲＲＣ接続の確立を規制し得る。
【００１３】
所定の一式の複数のサービスタイプは、マルチメディアテレフォニ（ＭＭＴｅｌ）動画、ＭＭＴｅｌ音声、ＭＭＴｅｌショートメッセージサービス（ＳＭＳ）、およびＳＧまたはＳ１０２インタフェースを介するＳＭＳのうち少なくとも１つを含み得る。
【００１４】
更に、アクセスクラス規制スキップの状態に関連するネットワークからの指示は、様々なサービスに対するアクセスクラス規制スキップ状態を示す１または複数のフィールドを含む、システム情報ブロックタイプ２（ＳＩＢ２）のメッセージを含み得る。
【００１５】
また別の実装において、方法は、輻輳に起因してセルが規制されるというアクセスクラス規制（ＡＣＢ）指示を、ネットワークから、ＵＥにより受信する段階と、ＵＥにより発信される１または複数の特定のサービスに対してＡＣＢが迂回されるべきであるという指示を、ネットワークから、ＵＥのＲＲＣレイヤにより受信する段階と、ＵＥにより発信されているサービスの特定を、ＵＥのアプリケーションレイヤから、ＵＥのＮＡＳレイヤへ提供する段階と、サービスに対する無線接続の確立要求を、ＮＡＳレイヤから、ＲＲＣレイヤにより受信する段階と、サービスの提供された特定を、ＲＲＣレイヤにより受信する段階と、ＲＲＣレイヤにより受信されたサービスの特定が、ＡＣＢが迂回されるべきであるという指示に関連付けられた１または複数の特定のサービスに一致するとき、ＡＣＢの指示にもかかわらず、サービスに対する無線接続を、ネットワークと共に、ＲＲＣレイヤにより確立する段階とを含み得る。
【００１６】
別の実装において、ＵＥは、複数のプロセッサ実行可能命令を格納する非一時的メモリデバイスと、複数のプロセッサ実行可能命令を実行するよう構成されたプロセッサとを備え得る。複数のプロセッサ実行可能命令を実行することは、プロセッサに、輻輳に起因してセルが規制されるというアクセスクラス規制（ＡＣＢ）指示を、セルラーネットワークから受信させ、ＵＥにより発信される１または複数の特定のサービスに対してＡＣＢが迂回されるべきであるという指示を、ネットワークから、ＵＥのＲＲＣレイヤにより受信させ、ＵＥにより発信されているサービスの特定を、ＵＥのアプリケーションレイヤから、ＵＥのＮＡＳレイヤへ提供させ、サービスに対する無線接続の確立要求を、ＮＡＳレイヤから、ＲＲＣレイヤによって受信させ、サービスの提供された特定を、ＲＲＣレイヤにより受信させ、ＲＲＣレイヤにより受信されたサービスの特定が、ＡＣＢが迂回されるべきという指示に関連付けられた１または複数の特定のサービスに一致するとき、サービスに対する無線接続を、ネットワークと共に、ＲＲＣレイヤにより確立させる。
【００１７】
別の実装において、ＵＥは、輻輳に起因してセルが規制されるというＡＣＢ指示を、セルラーネットワークから受信するための手段と、ＵＥにより発信される１または複数の特定のサービスに対してＡＣＢが迂回されるべきであるという指示を、ネットワークから、ＵＥのＲＲＣレイヤにより受信するための手段と、ＵＥにより発信されているサービスの特定を、ＵＥのアプリケーションレイヤから、前記ＵＥのＮＡＳレイヤへ提供するための手段と、サービスに対する無線接続の確立要求を、ＮＡＳレイヤから、ＲＲＣレイヤによって受信するための手段と、サービスの提供された特定を、ＲＲＣレイヤにより受信するための手段と、ＲＲＣレイヤにより受信されたサービスの特定が、ＡＣＢが迂回されるべきという指示に関連付けられた１または複数の特定のサービスに一致するとき、サービスに対する無線接続を、ネットワークと共に、ＲＲＣレイヤにより確立するための手段とを含み得る。
【００１８】
図１は、本明細書において説明される複数のシステムおよび／または複数の方法が実装され得る例示の環境１００の図である。示されるとおり、環境１００は、１または複数のユーザ機器（ＵＥ）１１０（単独で「ＵＥ１１０」、または集合的に「複数のＵＥ１１０」と呼ばれる）を含み得、１または複数のＵＥ１１０は、例えば、ワイヤレスネットワーク１２０を通じて、ネットワークコネクティビティを取得し得る。ワイヤレスネットワーク１２０は、１または複数の外部のネットワークへのアクセスを提供し得、１または複数の外部のネットワークの各々は、パケットデータネットワーク（ＰＤＮ）１５０として分類される。ワイヤレスネットワークは、無線アクセスネットワーク（ＲＡＮ）１３０およびコアネットワーク１４０を含み得る。ＲＡＮ１３０は、いくつかの実装において、コアネットワーク１４０を制御またはそうでなければ管理するネットワークオペレータに関連付けられ得る。コアネットワーク１４０は、システムアーキテクチャエボリューション（ＳＡＥ）のコアネットワーク、またはジェネラルパケットラジオサービス（ＧＰＲＳ）のコアネットワーク等のインターネットプロトコル（ＩＰ）ベースのネットワークを含み得る。
【００１９】
ＵＥ１１０は、パーソナルデジタルアシスタント（ＰＤＡ）、スマートフォン、携帯電話、セルラーワイヤレスネットワークへのコネクティビティを有するラップトップコンピュータ、タブレットコンピュータ等といった、携帯型コンピューティングおよび通信デバイスを含み得る。ＵＥ１１０はまた、複数のデスクトップコンピュータ、複数のコンシューマ向けアプライアンスまたは複数のビジネス向けアプライアンス等の複数の非携帯型コンピューティングデバイス、またはアクセスネットワーク１３０にワイヤレスで接続することができる複数の他のデバイスを含み得る。
【００２０】
ＲＡＮ１３０は、１または複数のアクセス技術を含む３ＧＰＰアクセスネットワークを表し得る。アクセスネットワーク１３０は、複数の基地局１３２を含み得る。ＬＴＥベースのアクセスネットワークの文脈において、複数の基地局１３２はそれぞれ、発展型ＮｏｄｅＢ（ｅＮｏｄｅＢ）１３２と呼ばれ得る。複数のｅＮｏｄｅＢ１３２はそれぞれ、ｅＮｏｄｅＢが複数のＵＥ１１０と通信し得る無線インタフェースを提供し得る。無線インタフェースは、例えば、発展型（ｅｖｏｌｖｅｄ）ＵＭＴＳ（ユニバーサル・モバイル・テレコミュニケーション・システム）地上無線アクセス（Ｅ−ＵＴＲＡ）ネットワークを実装する無線インタフェースを含み得る。複数のｅＮｏｄｅＢ１３２は、Ｘ２インタフェースを用いて互いに通信し得、また、コアネットワーク１４０（例えば、ＭＭＥ１３４およびＳＧＷ１４２）に関連付けられた複数のデバイスとＳ１インタフェースを用いて通信し得る。
【００２１】
コアネットワーク１４０はＩＰベースネットワークを含み得る。３ＧＰＰネットワークアーキテクチャにおいて、コアネットワーク１４０は、発展型パケットコア（ＥＰＣ）を含み得る。示されるとおり、コアネットワーク１４０はモビリティマネジメントエンティティ（ＭＭＥ）１３４と、サービングゲートウェイ（ＳＧＷ）１４２と、パケットデータネットワークゲートウェイ（ＰＧＷ）１４６とを含み得る。ある複数のネットワークデバイスが、ＲＡＮ１３０およびコアネットワーク１４０の一部であるとして環境１００において示されているが、ネットワークデバイスが環境１００の「ＲＡＮ」または「コアネットワーク」として分類されるか否かは、ワイヤレスネットワーク１２０の動作に影響し得ない任意の決定であり得る。
【００２２】
ＭＭＥ１３４は、コアネットワーク１４０によりＵＥ１１０を登録し、複数のＵＥ１１０とのセッションに関連付けられた複数のベアラチャネルを確立し、一方のｅＮｏｄｅＢから他方のｅＮｏｄｅＢへ複数のＵＥ１１０をハンドオフする動作を実行する、および／または複数の他の動作を実行する、１または複数のコンピューティングデバイスおよび通信デバイスを含み得る。ＭＭＥ１３４は、概して制御プレーントラフィックを扱い得る。ＳＧＷ１４２は、１または複数のｅＮｏｄｅＢ１３２から受信したトラフィックを集約する１または複数のネットワークデバイスを含み得る。ＳＧＷ１４２は、概してユーザ（データ）トラフィックを扱い得る。
【００２３】
ＰＧＷ１４６は、コアネットワーク１４０と、複数のＰＤＮ１５０等の複数の外部ＩＰネットワークとの間の相互接続のポイントとして、および／または複数のオペレータＩＰサービスとして作用する１または複数のデバイスを含み得る。ＰＧＷ１４６は、複数のアクセスネットワークおよび複数の外部ＩＰネットワーク間で複数のパケットをルーティングし得る。ＳＧＷ１４２は、例えば、複数のＳ５インタフェースおよび／または複数のＳ８インタフェースを用いてＰＧＷ１４６と通信し得る。
【００２４】
複数のＰＤＮ１５０はそれぞれ、複数のパケットベースのネットワークを含み得る。複数のＰＤＮ１５０は、パブリックネットワーク（例えば、インターネット）、またはコアネットワーク１４０のオペレータにより提供される複数のサービス（例えば、複数のＩＰマルチメディア（ＩＭＳ）ベースのサービス、複数の透過的エンドツーエンドパケット交換型ストリーミングサービス（ＰＳＳ）、または複数の他のサービス）を提供する複数の独自のネットワーク等の複数の外部のネットワークを含み得る。
【００２５】
図１に示される複数のデバイスおよび／または複数のネットワークの量は、説明することのみを目的として提供される。実際のところ、複数の追加のデバイスおよび／またはネットワーク、複数のより少ないデバイスおよび／またはネットワーク、複数の異なるデバイスおよび／またはネットワーク、または図１で示されたものとは異なって配置された複数のデバイスおよび／またはネットワークがあり得る。代替的にまたは更に、環境１００の１または複数のデバイスは、環境１００の別の１または複数のデバイスにより実行されているとして説明される、１または複数の機能を実行し得る。
【００２６】
図２は、ＡＣＢスキップを実行するためのプロセス２００の例を示すフローチャートである。プロセス２００は、例えばＵＥ１１０によって実行され得る。
【００２７】
プロセス２００は、ＡＣＢスキップ機能が複数の特定のアプリケーション／サービスに適用されることとなるという指示を受信すること（ブロック２１０）を含み得る。例えば、複数の特定のアプリケーション／サービスは、ＭＭＴＥＬ音声、ＭＭＴＥＬ動画、ＳＭＳのようなサービスを含み得る。複数の他の実装において、ＵＥ１１０は、複数の他のアプリケーションまたはサービスに対してＡＣＢスキップを実行し得る。ＡＣＢスキップが適用されることとなる複数の特定のアプリケーションは、ワイヤレスネットワーク１２０における１または複数のデバイスにより送信され、ＵＥ１１０により受信される複数のメッセージ（例えば、複数のブロードキャストメッセージまたは複数のユニキャストメッセージ）において示され得る。
【００２８】
一実装において、ＡＣＢスキップが適用されることとなることを示すメッセージは、３ＧＰＰ  ＴＳ  ３６．３３１規格において規定されるとおり、システム情報ブロックタイプ２（ＳＩＢ２）のブロードキャストメッセージの一部として、複数のＵＥ１１０に送信され得る。例えば、ＳＩＢ２のメッセージは、ＡＣＢスキップがＭＭＴＥＬ音声、ＭＭＴＥＬ動画、およびＳＭＳに対して適用されることとなるか否かを示す複数のフィールドを含み得る。そのようなシステム情報ブロックタイプ２のメッセージの１つの可能な実装が、表Ｉに示される。表ＩＩは、表Ｉにおける複数のフィールドに関する複数のフィールド説明を含む。表Ｉおよび表ＩＩにおいて、太字フォントは、メッセージを実装すべく、既存の３ＧＰＰ  ＴＳ  ３６．３３１規格を補い得るテキストを示す。
【表１】
2018110444.tif 000003
【表２】
2018110444.tif 000004
【００２９】
図２に戻って参照すると、プロセス２００は、ＡＣＢが特定のサービスに対してアクティブであるとき、ＡＣＢを無視すべく、ＩＭＳレイヤ、ＮＡＳレイヤ、およびＲＲＣレイヤとインタラクトする可能性のある、指示された複数のアプリケーション／サービスに対して、ＡＣＢスキップを実行することを更に含み得る（ブロック２２０）。例えば、ＡＣＢスキップがあるサービス（例えば、ＭＭＴＥＬ音声）に対して可能であれば、ＵＥは、ＭＭＴＥＬ音声に関連付けられたＲＲＣ接続に関するＮＡＳ要求をＲＲＣレイヤにおいて認識すると、通常のＡＣＢの確認を迂回することにより、ＡＣＢスキップを実装し得る。ＡＣＢスキップの実際の実装の複数の詳細は、ＵＥと、複数のより上位のネットワークレイヤ（すなわち、ＮＡＳレイヤおよびＩＭＳレイヤ）とのインタラクションに基づいて、変わり得る。ＩＭＳサービスに関して、ＡＣＢスキップに関連する複数の様々な態様を、図３、図４、および図７から図１０を参照に以下に説明する。ＳＭＳサービスに関して、ＡＣＢスキップに関連する複数の様々な態様を、図５、図６、図１１、および図１２を参照に以下に説明する。
【００３０】
複数のＩＭＳサービスでのＡＣＢスキップの実際の実装に関して、（１）ＲＲＣレイヤは、ＩＭＳレイヤにおいてトリガされるサービスを認識する必要があり得る、（２）ＮＡＳの「輻輳緩和通知」は、異なる方法で処理されることを必要とし得る、という２点の主な機能に対応することを必要とし得る。ＮＡＳの輻輳緩和通知は、ＮＡＳレイヤにおいて、ＮＡＳにおけるサービス要求またはトラッキングエリア更新の手続きの開始に起因した以前のＲＲＣ接続確立の手続きに関して、ＡＣＢに起因してセルへのアクセスが規制されているとき、ＲＲＣは規制条件をＮＡＳに通知すること、かつ、輻輳状況が緩和されたことをＲＲＣがＮＡＳに通知するまで、ＮＡＳはＲＲＣ接続を確立する新たな要求を送信し得ない（すなわち、ＮＡＳは、サービス要求またはトラッキングエリア更新の手続きを開始し得ない）こと、といった要件を指す。このように、複数の上位レイヤは、ＲＲＣ接続を確立しないことについて通知され得る。
【００３１】
サービスがＩＭＳレイヤを通じてトリガされるとき、ＡＣＢスキップをサービスに適用すべく、ＲＲＣレイヤはどのサービスがトリガされているかを認識することを必要とし得る。一実装において、ＩＭＳレイヤは、ＩＭＳサービスタイプ（例えば、ＩＰ上の音声、動画、またはＳＭＳ）をＲＲＣレイヤに伝えることで、特定のＩＭＳサービスがいつ接続を開始するかをＲＲＣレイヤに直接通知し得る。ＩＭＳレイヤからＲＲＣレイヤへの通知は、複数のＩＭＳサービスの１つが間もなく開始することを、ＲＲＣレイヤに知らせ得る。「ＲＲＣ接続確立」の手続きはそれからトリガされ得、ＲＲＣレイヤはＡＣＢスキップを適用し得る（そのサービスに対して構成される場合）。ＩＭＳレイヤからＲＲＣレイヤへの通知は、ＡＴコマンドを介して送信され得る。
【００３２】
ＡＣＢスキップをサービスに適用すべく、どのサービスがトリガされているかをＲＲＣレイヤに認識させるための別の可能な実装において、ＩＭＳレイヤは、サービスタイプの指示をＮＡＳレイヤに伝えること等で、複数の関連のあるＩＭＳサービスの１つがいつ接続を開始するかをＮＡＳレイヤに通知し得る。ＮＡＳレイヤはそれから、ＮＡＳがＲＲＣ接続の確立を要求するときに、ＲＲＣに情報を転送し得る。ＲＲＣレイヤはそれから、必要に応じて、ＡＣＢスキップを適用し得る。ＩＭＳレイヤからＮＡＳレイヤへの通知は、ＡＴコマンドを介して送信され得る。
【００３３】
上記のとおり、ＲＲＣレイヤがＡＣＢスキップ機能を認識していることに加えて、ＮＡＳ規格は、ＡＣＢに起因してサービスが規制されているとき、ＲＲＣレイヤが規制条件をＮＡＳレイヤに通知し、そしてＲＲＣレイヤがＮＡＳレイヤに、ＡＣＢがもはや適用可能ではないこと（例えば、輻輳状況が緩和されるとき）を通知するまで、ＮＡＳレイヤが後に新たなサービス要求またはトラッキングエリア更新の手続きを開始することを控えることを必要とし得る。対処されなければ、この要件はＡＣＢスキップに関する複数の問題を生じ得る。複数の問題は、例として説明され得る。非ＩＭＳアプリケーションが、後にＮＡＳサービス要求手続き及びＲＲＣ接続確立の手続きをトリガするユーザプレーンデータを生成する状況を考えられたい。ＡＣＢをアクティブ化させる輻輳状況が存在すること想定されたい。ＡＣＢのアクティブ化は、ＲＲＣレイヤが、規制時間を制御するタイマ（「タイマＴ３０３」または「規制タイマ」と呼ばれる）を開始することを伴い得る。複数の既存のＮＡＳ要件を受けて、ＮＡＳは、タイマが失効するとき等、規制状況が緩和されることが通知されるまでは、別のサービス要求の手続きを開始しない。規制タイマが稼働している間に開始する任意のＩＭＳサービスは、たとえＡＣＢスキップの条件がそのサービスに対して構成されていても、ＮＡＳサービス要求をトリガしない。
【００３４】
ＡＣＢスキップ中に、ＲＲＣレイヤがＡＣＢ規制条件をＮＡＳレイヤに通知するという要件に対処するための一手法は、ＡＣＢスキップ機能に影響される複数のサービス（例えば、ＭＭＴｅｌ動画、ＭＭＴｅｌ音声、およびＳＭＳ）に対して別のサービス要求を開始しないよう、ＮＡＳ要件を修正することである。一実装において、これらのサービスは、常にＮＡＳサービス要求の手続き、およびＲＲＣ接続を確立する、ＲＲＣレイヤへの対応する要求をトリガし得るＡＣＢスキップが構成されるか否かを理解しているＲＲＣレイヤはそれから、ＲＲＣ接続確立の手続きが先へ進むことが出来るか否かを判断出来る。
【００３５】
ＡＣＢスキップ中に、ＲＲＣレイヤがＡＣＢ規制条件をＮＡＳレイヤに通知するという要件に対処するための２つの追加の選択肢について、次に図３および図４に関して説明される。図３および図４において、太字フォントで示された動作は、ＩＭＳレイヤ３１０、ＲＲＣレイヤ３２０、およびＮＡＳレイヤ３３０に関連付けられた新たな機能および／または複数のプロセスを表し得る。
【００３６】
図３および図４は、それぞれ、ＩＭＳレイヤ３１０、ＲＲＣレイヤ３２０、およびＮＡＳレイヤ３３０を示す。レイヤ３１０、レイヤ３２０、レイヤ３３０の各々は、それぞれ、ＩＭＳレイヤの機能、ＲＲＣレイヤの機能、およびＮＡＳレイヤの機能の動作に関連するロジックを表し得る。ＩＭＳレイヤ３１０、ＲＲＣレイヤ３２０、およびＮＡＳレイヤ３３０のロジックは、ＵＥ１１０内および／またはｅＮｏｄｅＢ１３２等の複数のネットワークエレメント内に実装され得る。一般的に、ＩＭＳレイヤ３１０は、複数のインターネットプロトコル（ＩＰ）マルチメディアサービスの配信に関連する複数のアプリケーションレベルの機能を実行し得る。ＲＲＣレイヤ３２０は、ＬＴＥエアインタフェースの制御プレーンに関連する複数の制御機能を実行し得る。ＲＲＣレイヤ３２０により実行される複数の機能の例は、ＮＡＳに関連するシステム情報を受信することと、アクセス層（ＡＳ）、ページング、複数のセキュリティ機能、複数のモビリティ機能、および複数のクオリティオブサービス（ＱｏＳ）機能に関連するシステム情報を受信することとを含み得る。ＮＡＳレイヤ３３０は、複数のＵＥ１１０とＭＭＥ１３４との間で制御プレーンに関連する複数の制御機能を実行し得る。ＮＡＳレイヤ３３０は、無線インタフェースで制御プレーンの最上位層を表し得、Ｅ−ＵＴＲＡＮにおいて終端されない、ＵＥ１１０とＭＭＥ１３４との間の複数のプロトコルを実装し得る。
【００３７】
図３に示されるとおり、（３．１、「ＡＣＢスキップが複数の特定のサービスに対してアクティブであるという指示」において）ＲＲＣレイヤ３２０はＡＣＢスキップがアクティブであるという指示を受信し得る。前述したとおり、指示は、ＡＣＢスキップが可能である複数の特定のサービスを説明するシステム情報ブロックタイプ２のブロードキャストメッセージの一部として受信され得る。（３．２、「ＩＭＳサービスインジケータ」において）ＩＭＳレイヤ３１０は、ＩＭＳサービスがいつサービス要求の手続きのトリガを生じさせるかを、ＲＲＣレイヤ３２０に通知し得る。通知は、サービス（例えば、ＭＭＴｅｌ動画またはＭＭＴｅｌ音声）の指示を含み得る。ＡＣＢスキップがそのサービスに対してアクティブであれば、ＲＲＣレイヤ３２０は、規制タイマ（タイマＴ３０３）を停止し得る。ＡＣＢスキップがサービスに対してアクティブであるときに規制タイマを停止することで、ＮＡＳレイヤ３３０がＩＭＳレイヤ３１０等のより上位レイヤからのＩＭＳサービスに関する要求に応答して、ＲＲＣ接続の確立を要求することを可能とし得る（すなわち、規制タイマが停止するとき、ＲＲＣレイヤ３２０は接続を規制しない）。（３．３、「輻輳緩和通知」において）ＲＲＣレイヤ３２０はまた、輻輳緩和がアクティブであることをＮＡＳレイヤ３３０に通知し得る。（３．４、「ユーザプレーンを介した送信要求」において）ＮＡＳレイヤ３３０は、ＩＭＳレイヤから、送信に関する対応する要求を受信し得る。（３．５、「ＲＲＣ接続を確立する要求」において）ＮＡＳレイヤ３３０は、ＲＲＣ接続の確立をＲＲＣレイヤ３２０に要求し得る。（３．６、「特定のＩＭＳサービスに対してＡＣＢをスキップ」において）ＲＲＣレイヤ３２０は、ＡＣＢスキップが特定のＩＭＳサービスに対してアクティブであるときに、そのサービスに対してＡＣＢスキップを実行し得る。ＲＲＣレイヤ３２０はしたがって、要求されたＲＲＣ接続を確立し得る。ＡＣＢスキップをトリガすると、ＲＲＣレイヤ３２０は、規制タイマ（タイマＴ３０３）をリセットし得る。ＲＲＣレイヤ３２０はまた、規制タイマがいつ失効するか、または停止するかという輻輳緩和通知をＮＡＳレイヤ３３０に提供し得る。
【００３８】
図４は、ＲＲＣレイヤがＮＡＳレイヤにＡＣＢ条件を通知する要件に対処するための別の選択肢に関連する動作を示す図である。ＮＡＳレイヤ３３０がサービスタイプを認識しない図３とは対照的に、図４の動作において、ＮＡＳレイヤ３３０は、サービスタイプを認識している。図４に示されるとおり、（４．１、「ＡＣＢスキップが複数の特定のサービスに対してアクティブであるという指示」において）ＲＲＣレイヤ３２０はＡＣＢスキップがアクティブであるという指示を受信し得る。前述したとおり、指示は、システム情報ブロックタイプ２のメッセージの一部として受信され得、ＡＣＢスキップが適用される特定のサービスタイプを示し得る。ＲＲＣレイヤ３２０は、輻輳緩和がアクティブであることをＮＡＳレイヤ３３０に通知し得る。（４．２、「輻輳緩和通知、および複数の特定のサービスに対して規制条件を無視する指示」において）通知はまた、ＡＣＢスキップメッセージの一部として受信された特定のサービスタイプに対してＡＣＢを無視する（すなわち、ある複数のサービスに対して規制を無視する）指示を含み得る。言い換えると、ＡＣＢに起因したサービスのブロックの可能性があるとき、失敗通知がＲＲＣレイヤ３２０からＮＡＳレイヤ３３０へと送信され得、ＡＣＢスキップがアクティブであるとき、特定のサービスタイプに対してＮＡＳレイヤ３３０がＡＣＢを無視すべきであることを示す通知もまた送信され得る。
【００３９】
（４．３、「ユーザプレーンを介した送信要求」において）ＮＡＳレイヤ３３０は、サービス要求をトリガし得る、ＩＭＳレイヤからの送信要求をＩＭＳレイヤ３１０から受信し得る。（４．４、「ＩＭＳサービスインジケータ」において）ＩＭＳレイヤ３１０はまた、サービスの指示（例えば、ＭＭＴｅｌ動画、またはＭＭＴｅｌ音声）を、ＮＡＳレイヤ３３０に提供し得る。（４．４において指定された）サービスが、（４．２において指定された）複数の特定のサービスタイプに対してＮＡＳレイヤ３３０がＡＣＢを無視すべきことを示す通知に対応するサービスに一致するとき、（４．５、「複数の特定のサービスに対して規制条件を無視」において）ＮＡＳレイヤ４３０は、複数の特定のサービスに対してＡＣＢを無視し得る。ＮＡＳレイヤ３３０は、サービス要求に関して、ＲＲＣ接続の確立要求をＲＲＣレイヤ３２０に送信し得る。（４．６、「サービス指示を含む、ＲＲＣ接続を確立する要求」において）要求はまた、サービスの指示を含み得る。（４．７、「特定のＩＭＳサービスに対してＡＣＢをスキップ」において）ＲＲＣレイヤ３２０は、ＡＣＢスキップが特定のＩＭＳサービスに対してアクティブであるときに、要求されたＲＲＣ接続を確立することにより、サービスのＡＣＢスキップを実行し得る。
【００４０】
図３および図４に関する上記の実装において、ＩＭＳレイヤ３１０は、確立されているサービスのタイプを、ＲＲＣレイヤ３２０またはＮＡＳレイヤ３３０の何れか一方に、通知する。サービスの指示は、ＡＣＢスキップがＩＭＳサービスに対して構成されるときのみに必要となり得る。一実装において、ＲＲＣレイヤ３２０は、ＡＣＢスキップがいつアクティブであるか、および任意に、アクティブであるＡＣＢスキップに関連付けられたサービスに対していつアクティブであるかを、ＩＭＳレイヤ３１０に知らせ得る。ＩＭＳレイヤ３１０はそれから、必要なときのみ、すなわち、ＡＣＢスキップ機能が構成されるときのみ、ＲＲＣレイヤ３２０（図３）またはＮＡＳレイヤ３３０（図４）にサービス指示を送信し得る。このことにより、ＵＥ１１０内の複数のレイヤの間におけるシグナリングの最小化が可能となり得る。
【００４１】
図４で示された複数の動作についての１つの可能な変形において、４．２に関する通信は、複数の特定のサービスが規制輻輳指示を無視し得るという指示を含み得ない。この場合、４．５にて、規制条件は、全てのＩＭＳサービスおよびＳＭＳサービス等のＡＣＢスキップをサポートする複数のサービスに対して、常に無視され得る。任意に、４．２に関する通信は、「ＩＭＳのみ」、「ＳＭＳのみ」、または「ＩＭＳおよびＳＭＳ」の両方、を示し得る。４．７で、ＲＲＣレイヤ３２０はそれから、ＲＲＣ接続を確立する要求の指示されたサービスタイプに基づいて、上記決定をし得る。
【００４２】
図３および図４は、上記のとおり、複数のＩＭＳサービスに関するＡＣＢスキップに関連する複数の様々な態様を示す。次に、ＳＭＳ（例えば、ＳＧまたはＳ１０２インタフェースを介するＳＭＳ）サービスに関するＡＣＢスキップに関連する複数の様々な態様を、図５および図６を参照に以下に説明をする。一般的に、複数のＳＭＳサービスは、ＮＡＳレイヤ３３０において直接受信され得、対応するサービスタイプの通知は、余分な通知をする必要なく、ＮＡＳレイヤ３３０からＲＲＣレイヤ３２０へ送信され得る。同様に、ＲＲＣレイヤ３２０は、ＡＣＢスキップを認識するには十分となり得ず、ＮＡＳ輻輳緩和通知に対処することが必要となり得る。
【００４３】
図５は、ＲＲＣレイヤが（例えば、ＮＡＳ輻輳緩和通知に対処するための）セル規制条件をＮＡＳレイヤに通知するという要件に対処することに関連する複数の動作を示す図である。図５に示されるとおり、ＳＭＳレイヤ５１０は、ＮＡＳレイヤ３３０と通信し得る。ＳＭＳレイヤ５１０は、ＳＭＳ機能の動作に関連するアプリケーションレイヤのロジックを表し得る。ＳＭＳレイヤ５１０のロジックは、ＵＥ１１０内および／またはワイヤレスネットワーク１２０の複数のネットワークエレメント内で実装され得る。図５の実装において、ＮＡＳレイヤ３３０は、規制指示を無視し得る（すなわち、規制指示はＮＡＳレイヤに適用されない）。
【００４４】
図５に示されるとおり、（５．１、「ＡＣＢスキップが複数の特定のサービスに対してアクティブであるという指示」において）ＲＲＣレイヤ３２０は、ＡＣＢスキップがアクティブであるという指示を受信し得る。前述したとおり、指示は、システム情報ブロックタイプ２のメッセージの一部として受信し得る。（５．２、「ＳＭＳサービス」において）ＳＭＳレイヤ５１０は、ＳＭＳがいつ送信されることとなるかを、ＮＡＳレイヤ３３０に通知し得る。（５．３、「ＳＭＳに対してＡＣＢを無視」において）ＮＡＳレイヤ３３０は、送信に関するＳＭＳ要求に対する複数の任意のＡＣＢ条件を無視し得る。例えば、ＲＲＣレイヤ３２０は、輻輳緩和条件をＮＡＳレイヤ３３０に通知することを控え得る（例えば、ＡＣＢがアクティブであると指示することを控える）。（５．４、「ＳＭＳサービス指示を有するサービス要求」において）ＮＡＳレイヤ３３０は、サービス要求の手続きをトリガし得、ＳＭＳサービスの指示をＲＲＣレイヤ３２０に送信し得、ＲＲＣ接続確立をトリガするよう要求し得る。（５．５、「ＳＭＳに対してＡＣＢをスキップ」において）ＲＲＣレイヤ３２０は、ＡＣＢスキップがＳＭＳ発信の呼び出しに対してアクティブであるときに、ＳＭＳサービスに対してＡＣＢスキップを実行し得る。
【００４５】
図６は、ＲＲＣレイヤがセル規制条件をＮＡＳレイヤに通知するという要件に対処するための（例えば、ＮＡＳ輻輳緩和通知に対処するための）別の選択肢に関連する複数の動作を示す図である。図６の実装において、ＮＡＳレイヤ３３０は、ＲＲＣレイヤ３２０からの指示に基づいて、複数のＳＭＳサービスに対してＡＣＢの規制条件を無視し得る。
【００４６】
図６に示されるとおり、（６．１、「ＡＣＢスキップが複数の特定のサービスに対してアクティブであるという指示」において）ＲＲＣレイヤ３２０は、ＡＣＢスキップがアクティブであるという指示を受信し得る。前述したとおり、指示は、システム情報ブロックタイプ２のメッセージの一部として受信し得、ＡＣＢスキップが適用される複数のＳＭＳサービス（例えば、複数のＳＭＳ発信の呼び出し）等の複数の特定のサービスタイプを示し得る。ＲＲＣレイヤ３２０は、輻輳緩和がアクティブであることを、ＮＡＳレイヤ３３０に通知し得る。（６．２、「輻輳通知、およびＳＭＳに対して規制条件を無視するよう指示」において）通知はまた、複数のＳＭＳサービスに対してセル規制条件を無視する指示を含み得る。（６．３、「ＳＭＳサービス」において）ＳＭＳレイヤ５１０は、ＳＭＳがいつ送信されることとなるかをＮＡＳレイヤ３３０に通知し得る。（６．４、「指示を受けると、ＳＭＳに対して規制条件を無視」において）ＮＡＳレイヤ３３０は、ＳＭＳに対して規制条件を無視する指示が以前に受信された場合、ＳＭＳサービスに対して任意のセル規制条件を無視し得る（例えば、以前に６．２で受信されたとおり）。（６．５、「ＳＭＳサービス指示を有するサービス要求」において）ＮＡＳレイヤ３３０は、サービス要求の手続きをトリガし得、ＲＲＣ接続の確立要求、およびＳＭＳサービスの指示を、ＲＲＣレイヤ３２０に送信し得る。（６．６、「ＳＭＳに対してＡＣＢをスキップ」において）ＲＲＣレイヤ３２０は、ＡＣＢスキップが複数のＳＭＳ発信の呼び出しに対してアクティブであるとき、ＳＭＳサービスに対してＡＣＢスキップを実行し得る。図６の複数の動作は概して、ＲＲＣレイヤ３２０がＮＡＳレイヤ３３０に対して、輻輳に起因してセル規制条件がいつＳＭＳに適用されないかを知らせることに関連し得る。簡単にすべく、ＲＲＣ接続の以前の確立要求がＮＡＳレイヤ３３０により提供され、ＲＲＣレイヤ３２０により規制されるときに、実行され得る。この場合、ＲＲＣレイヤ３２０は、輻輳に起因して失敗の指示（６．２）をＮＡＳレイヤ３３０に送信し得、この指示は複数の今後の要求においてＳＭＳに対して規制条件を無視する指示を含む可能性がある。今後ＳＭＳサービスがトリガされるとき、ＮＡＳレイヤ３３０は、サービス要求の手続きを開始し得、規制条件を無視し得る。
【００４７】
更に、ＡＣＢスキップを実装する複数のより詳細な実装が、図７から図１２を参照して次に説明される。図７から図１２の複数の追加の実装は、図３から図６の複数の説明に対して複数のより詳細なおよび／またはより下位レベルの実装を表し得る。図７から図１２において、太字の文字は、複数の既存の手法に関連する新たな機能、または変更された機能を示し得る。イタリック体の文字は、非同期的に、且つ任意の回数で発生し得る複数の通信を更に示し得る。
【００４８】
図７は、図４の説明に基づくＡＣＢスキップの実装を示す図である。図７に示すとおり、ＵＥ１１０により実装される機能は、ＩＭＳコンポーネント７１０、ユーザプレーン（ＵＰ）コンポーネント７２０、パケットデータ圧縮プロトコル（ＰＤＣＰ）コンポーネント７３０、ＮＡＳ  ＥＰＳモビリティマネジメント（ＥＭＭ）コンポーネント７４０、およびＲＲＣコンポーネント７５０を含み得る。図７に更に示されるとおり、ｅＮｏｄｅＢ１３２による等、ワイヤレスネットワーク１２０により実装される機能は、ＲＲＣコンポーネント７６０を含み得る。コンポーネント７１０からコンポーネント７５０の各々は、ＵＥ１１０での複数の異なるプロトコルレイヤの複数の動作に関連するロジックを表し得る。同様に、コンポーネント７６０は、ワイヤレスネットワーク１２０におけるＲＲＣレイヤの動作に関連するロジックを表し得る。
【００４９】
ＩＭＳコンポーネント７１０は、複数のＩＭＳサービスに関連する複数の機能を実行し得る。ＵＰコンポーネント７２０は、ユーザプレーントラフィックに関連する複数の機能を実行し得る。ＰＤＣＰコンポーネント７３０は、ＰＤＣＰレイヤに関連する複数の機能を実行し得る。複数の機能は、例えば、ＩＰデータのヘッダ圧縮および解凍、データの転送（ユーザプレーン、または制御プレーン）、および複数のＰＤＣＰシーケンス番号（ＳＮ）のメンテナンスを含み得る。ＮＡＳ  ＥＭＭコンポーネント７４０は、ワイヤレスネットワーク１２０に関するＵＥ１１０のモビリティの制御のため、ＥＰＳモビリティマネジメントプロトコルに関連する複数の機能を実行し得る。ＲＲＣコンポーネント７５０は、ＵＥ１１０の複数の動作に関するＬＴＥエアインタフェースの制御プレーンに関連する複数の制御機能を実行し得る。ＲＲＣコンポーネント７６０は、ワイヤレスネットワーク１２０の複数の動作に関するＬＴＥエアインタフェース制御プレーンに関連する複数の制御機能を実行し得る。
【００５０】
図７に示されたとおり、ＲＲＣコンポーネント７５０は、ＡＣＢスキップがアクティブであるという指示（１または複数のメッセージ、または複数の情報要素を含み得る）をＲＲＣコンポーネント７６０から受信し得る。前述したとおり、（７．１、「ＳＩＢ２−ＡＣＢスキップ」において）指示は、ＳＩＢ２のメッセージの一部として受信され得る。ＲＲＣ接続を確立すべく、アプリケーションに関連付けられた、ＮＡＳにおける複数のサービス要求の手続きに起因する、ＲＲＣ接続の確立要求をＲＲＣコンポーネント７５０が受信して、アクセスが拒否されると（すなわち、アプリケーションがＡＣＢスキップに対して構成されていなく、ＡＣＢ規制がセルに対してアクティブである）、（７．２「輻輳指示、および複数の特定のＭＭＴＥＬサービスに対して規制条件を無視する指示」において）ＲＲＣコンポーネント７５０は、輻輳緩和がアクティブである（例えば、ＡＣＢがアクティブである）が、ＡＣＢスキップがまた、１または複数の特定のサービスに対して構成されることをＮＡＳ  ＥＭＭコンポーネント７４０に通知し得る。
【００５１】
（７．３、「ＩＭＳトランザクション要求（ＭＭＴＥＬサービスインジケータ）」において）ＩＭＳコンポーネント７１０がＭＭＴｅｌ音声、ＭＭＴｅｌ動画、またはＭＭＴｅｌ  ＳＭＳを開始するとき、ＩＭＳコンポーネント７１０は、要求（または指示）をＮＡＳ  ＥＭＭコンポーネント７４０に送信し得る。要求は、開始されるべきサービスの通知（例えば、ＭＭＴｅｌ音声、ＭＭＴｅｌ動画、またはＭＭＴｅｌ  ＳＭＳ等のどのタイプのアプリケーション／サービスであるのか）を含み得る。要求は、ＩＭＳコンポーネント７１０からＮＡＳ  ＥＭＭコンポーネント７４０に送信されるＡＴコマンドを介して実装され得る。並行して、（７．４、「ＵＰパケットを転送（ＳＩＰ  ＩＮＶＩＴＥ／ＳＩＰメッセージ）」において）ＩＭＳコンポーネント７１０は、セッションイニシエーションプロトコル（ＳＩＰ）のＩＮＶＩＴＥ／ＳＩＰ  ＭＥＳＳＡＧＥを含むユーザプレーンパケットを（ＵＰコンポーネント７２０を介して）、ＮＡＳ  ＥＭＭコンポーネント７４０に転送し得る。
【００５２】
要求（通信７．３）に応答して、（７．５、「ＡＣＢスキップ情報を確認（ＭＭＴＥＬ）」において）ＮＡＳ  ＥＭＭコンポーネント７４０は、ＡＣＢがサービスに対してアクティブか否か、およびＡＣＢスキップを実行する指示がサービスに対して以前に受信されたか否かを判断し得る。ＡＣＢスキップがそのサービスに対して構成され、ＡＣＢスキップが特定のＩＭＳサービスに対して構成されたら、ＮＡＳ  ＥＭＭコンポーネント７４０は、複数のサービス要求を規制すべく、任意の以前に受信された指示を迂回し得る。
【００５３】
ＮＡＳ  ＥＭＭコンポーネント７４０は、サービスに対するＲＲＣ接続の確立要求をＲＲＣコンポーネント７５０に送信し得る。（７．６、「ＲＲＣ接続要求を確立（ＭＭＴＥＬサービスインジケータ）」において）要求はまた、サービスの指示を含み得る。サービスの指示は、一般的なもの（例えば、ＵＥ発信のＡＣＢの迂回）、またはより具体的なもの（すなわち、上記のとおり、ＭＭＴｅｌ音声等のアプリケーションまたはサービス毎）であり得る。
【００５４】
（７．７、「ＡＣＢスキップ情報を確認（ＭＭＴＥＬ、ＳＭＳ）」において）ＲＲＣコンポーネント７５０は、ＡＣＢスキップが特定のサービスに対してアクティブであるとき、要求されたＲＲＣ接続を確立することにより、サービスに対してＡＣＢスキップを実行し得る。ＡＣＢスキップが特定のサービスタイプに対してアクティブでないが、ＡＣＢはアクティブであるとき、ＲＲＣコンポーネント７５０は、複数の通常のＡＣＢ手続きに従って、ＲＲＣ接続の確立要求を無視する可能性があり得る。
【００５５】
図８は、図４の説明に基づくＡＣＢスキップの別の可能な実装を示す図である。示されているとおり、ＲＲＣコンポーネント７５０は、ＡＣＢスキップがアクティブであるという指示（１または複数のメッセージまたは情報要素を含み得る）を、ＲＲＣコンポーネント７６０より受信し得る。前述したとおり、（８．１、「ＳＩＢ２−ＡＣＢスキップ」において）指示は、システム情報ブロックタイプ２（ＳＩＢ２）のメッセージの一部として受信され得る。
【００５６】
（８．２、「ＩＭＳトランザクション要求（ＭＭＴＥＬサービスインジケータ）」において）ＩＭＳコンポーネント７１０がＭＭＴｅｌ音声、ＭＭＴｅｌ動画、またはＭＭＴｅｌ  ＳＭＳを開始するとき、ＩＭＳコンポーネント７１０は、要求（または指示）をＮＡＳ  ＥＭＭコンポーネント７４０に送信し得る。要求は、開始されるべきサービスタイプの通知（例えば、ＭＭＴｅｌ音声、ＭＭＴｅｌ動画、またはＭＭＴｅｌ  ＳＭＳ等のどのタイプのアプリケーションであるのか）を含み得る。要求は、ＩＭＳコンポーネント７１０からＮＡＳ  ＥＭＭコンポーネント７４０に送信されるＡＴコマンドを介して実装され得る。並行して、（８．３、「ＵＰパケットを転送（ＳＩＰ  ＩＮＶＩＴＥ／ＳＩＰメッセージ）」において）ＩＭＳコンポーネント７１０は、セッションイニシエーションプロトコル（ＳＩＰ）ＩＮＶＩＴＥ／ＳＩＰ  ＭＥＳＳＡＧＥを含むユーザプレーンパケットを、（ＵＰコンポーネント７２０を介して）ＮＡＳ  ＥＭＭコンポーネント７４０に転送し得る。
【００５７】
（８．４、「輻輳指示」において）ＮＡＳ  ＥＭＭコンポーネント７４０は、複数のサービス要求を規制する指示を受信し得る（すなわち、ＡＣＢがアクティブであるという指示）。この実装において、ＮＡＳ  ＥＭＭコンポーネント７４０は、ＡＣＢスキップが構成されるかどうかを知らない。したがって、（８．５、「ＭＭＴＥＬに対してＡＣＢを常に迂回」において）ＮＡＳ  ＥＭＭコンポーネント７４０は、複数のサービス要求を規制すべく（すなわち、ＡＣＢを実行すべく）、以下のリストのサービスタイプ、つまり、ＭＭＴｅｌ音声、ＭＭＴｅｌ動画、またはＭＭＴｅｌ  ＳＭＳの何れかに対して、ＮＡＳ  ＥＭＭコンポーネント７４０がＲＲＣコンポーネント７５０から受信した任意の以前の指示を常に迂回し得る。
【００５８】
ＮＡＳ  ＥＭＭコンポーネント７４０は、サービスに対するＲＲＣ接続（すなわち、ユーザプレーンの無線リソース）の確立要求をＲＲＣコンポーネント７５０に送信し得る。（８．６、「ＲＲＣ接続要求を確立（ＭＭＴＥＬサービスインジケータ）」において）要求はまた、サービスの指示を含み得る。サービスの指示は、一般的なもの（例えば、ＵＥ発信のＡＣＢの迂回）、またはより具体的なもの（すなわち、上記のとおり、ＭＭＴｅｌ音声等のアプリケーションまたはサービスタイプ毎）であり得る。例えば、サービスを示すべく、「ＲＲＣ確立要因」を示すフィールドが設定され得る。代替的にまたは更に、新たなまたは異なる呼び出しタイプが、「ＲＲＣ確立要因」の代わりに実装され得る。
【００５９】
（８．７、「ＡＣＢスキップ情報を確認（ＭＭＴＥＬ、ＳＭＳ）」において）ＲＲＣコンポーネント７５０は、ＡＣＢスキップが特定のサービスに対してアクティブであるとき、サービスに対してＡＣＢスキップを実行し得、要求された接続を確立し得る。ＡＣＢスキップが特定のサービスに対してアクティブではないが、ＡＣＢはアクティブであるとき、ＲＲＣコンポーネント７５０は、複数の通常のＡＣＢ手続きに従って、ＲＲＣ接続の確立要求を無視する可能性があり得る。
【００６０】
図９は、図３の説明に基づく、ＡＣＢスキップの可能な実装を示す図である。示されるとおり、ＲＲＣコンポーネント７５０は、ＡＣＢスキップがアクティブであるという指示を、ＲＲＣコンポーネント７６０から受信し得る。前述したとおり、（９．１「ＳＩＢ２−ＡＣＢスキップ」において）指示は、ＳＩＢ２のメッセージの一部として受信され得る。
【００６１】
（９．２、「ＩＭＳトランザクション要求（ＭＭＴＥＬサービスインジケータ）」において）ＩＭＳコンポーネント７１０がＭＭＴｅｌ音声、ＭＭＴｅｌ動画、またはＭＭＴｅｌ  ＳＭＳを開始するとき、ＩＭＳコンポーネント７１０は、要求をＲＲＣコンポーネント７５０に送信し得る。要求は、開始されるべきサービスタイプの通知を含み得る。要求は、ＩＭＳコンポーネント７１０からＲＲＣコンポーネント７５０に送信されたＡＴコマンドを介して実装され得る。（９．３、「ＵＰパケットを転送（ＳＩＰ  ＩＮＶＩＴＥ／ＳＩＰメッセージ）」において）ＩＭＳコンポーネント７１０は、セッションイニシエーションプロトコル（ＳＩＰ）  ＩＮＶＩＴＥ／ＳＩＰ  ＭＥＳＳＡＧＥを含むユーザプレーンのパケットを（ＵＰコンポーネント７２０を介して）ＵＰコンポーネント７２０に送信し得、そこからユーザプレーンのパケットをＰＤＣＰコンポーネント７３０に更に送信し得る。
【００６２】
（９．４、「ＡＣＢスキップが適用されるか否かを確認（ＭＭＴＥＬ、ＳＭＳ）」において）ＡＣＢスキップが通信９．２の要求において示されたサービスタイプに対してアクティブであるとき、（９．５、「許可された指示にアクセス」において）ＲＲＣコンポーネント７５０は、アクセスが許可されていること、かつＮＡＳ  ＥＭＭコンポーネント７４０は、複数のサービス要求を規制すべく、ＲＲＣコンポーネント７５０から受信された任意の以前の指示を迂回すべきことを、ＮＡＳ  ＥＭＭコンポーネント７４０に知らせ得る。ＲＲＣコンポーネント７５０は、サービスをＮＡＳ  ＥＭＭコンポーネント７４０に通知しないため（すなわち、ＮＡＳ  ＥＭＭコンポーネント７４０は、サービスを認識していない）、サービス要求は、その時点から、任意のアプリケーションに対して、ＮＡＳ  ＥＭＭコンポーネント７４０においてトリガされ得る。
【００６３】
（９．６、「ＵＰ要求を確立」において）ある時点で、ＩＭＳシグナリングメッセージが、ＮＡＳ  ＥＭＭコンポーネント７４０にて受信され得る。それに応答して、ＮＡＳ  ＥＭＭコンポーネント７４０は、サービスを開始し得る。
【００６４】
（９．７、「ＲＲＣ接続要求を確立（ＭＭＴＥＬ／ＭＭＳ）」において）ＮＡＳ  ＥＭＭコンポーネント７４０は、サービス要求をトリガし得、サービスに対するＲＲＣ接続の確立要求を、ＲＲＣコンポーネント７５０に送信し得る。ＲＲＣコンポーネント７５０は、（９．２にて）ＩＭＳコンポーネント７１０からトランザクション要求を受信したため、９．７で受信したＲＲＣ接続確立要求に関連するサービスタイプ（例えば、ＭＭＴｅｌ音声、ＭＭＴｅｌ動画、またはＭＭＴｅｌ  ＳＭＳ）を認識し得る。ＲＲＣコンポーネント７５０は、ＡＣＢスキップが特定のサービスに対してアクティブであるとき、サービスに対してＡＣＢスキップを実行し得、要求された接続を確立し得る。ＡＣＢスキップが特定のサービスタイプに対してアクティブでないが、ＡＣＢはアクティブであるとき、ＲＲＣコンポーネント７５０は、複数の通常のＡＣＢ手続きに従って、ＲＲＣ接続の確立要求を無視する可能性があり得る。
【００６５】
図１０は、図３および図４の複数の説明の組み合わせに基づく、ＡＣＢスキップの可能な実装を示す図である。示されるとおり、ＲＲＣコンポーネント７５０は、ＡＣＢスキップがアクティブであるという指示を、ＲＲＣコンポーネント７６０から受信し得る。前述したとおり、（１０．１、「ＳＩＢ２−ＡＣＢスキップ」において）指示は、ＳＩＢ２のメッセージの一部として受信され得る。
【００６６】
（１０．２、「複数の特定のサービスのＡＣＢスキップを示す情報を含む、輻輳指示」において）ＲＲＣコンポーネント７５０が、ＲＲＣ接続を確立すべく、サービスに関連付けられたＲＲＣ接続の確立要求を受信して、アクセスを拒否されると（すなわち、アプリケーションがＡＣＢスキップに対して構成されておらず、ＡＣＢ規制がアクティブである）、ＲＲＣコンポーネント７５０は、サービスが規制されている（例えば、ＡＣＢがアクティブである）が、ＡＣＢスキップがまた、１または複数の特定のサービスに対して構成されていることを、ＮＡＳ  ＥＭＭコンポーネント７４０に通知し得る。
【００６７】
（１０．３、「ＡＣＢスキップ指示、および複数の特定のサービス」において）ＲＲＣコンポーネント７５０は、ＡＣＢスキップが構成されていること、およびどの複数のサービス（例えば、ＭＭＴｅｌ音声、ＭＭＴｅｌ動画、またはＭＭＴｅｌ  ＳＭＳ）に対してＡＣＢスキップが構成されているのかを、ＩＭＳコンポーネント７１０に通知し得る。
【００６８】
（１０．４「ＩＭＳトランザクション要求（ＭＭＴＥＬサービスインジケータ）」において）ＩＭＳコンポーネント７１０がＭＭＴｅｌ音声、ＭＭＴｅｌ動画、またはＭＭＴｅｌ  ＳＭＳを開始するとき、ＩＭＳコンポーネント７１０は、要求をＮＡＳ  ＥＭＭコンポーネント７４０に送信し得る。要求は、開始されるべきサービスの通知（例えば、ＭＭＴｅｌ音声、ＭＭＴｅｌ動画、またはＭＭＴｅｌ  ＳＭＳ等のどのタイプのアプリケーションであるのか）を含み得る。代替的に、図９に示されたものと同様の実装において、要求はＲＲＣコンポーネント７５０に送信され得る。（１０．５「ＵＰパケットを転送（ＳＩＰ  ＩＮＶＩＴＥ／ＳＩＰ  ＭＥＳＳＡＧＥ）」において）ＩＭＳコンポーネント７１０は、セッションイニシエーションプロトコル（ＳＩＰ）  ＩＮＶＩＴＥ／ＳＩＰ  ＭＥＳＳＡＧＥを含むユーザプレーンパケットを、（ＵＰコンポーネント７２０を介して）ＵＰコンポーネント７２０に送信し得、そこからユーザプレーンパケットをＰＤＣＰコンポーネント７３０に更に送信し得る。（１０．６「ＵＰ要求を確立」において）ある時点で、ＩＭＳシグナリングメッセージが、ＮＡＳ  ＥＭＭコンポーネント７４０で受信され得る。それに応答して、ＮＡＳ  ＥＭＭコンポーネント７４０はサービスを開始し得る。
【００６９】
この実装において、ＮＡＳ  ＥＭＭコンポーネント７４０は、（通信１０．３に起因して）ＡＣＢスキップがいつ複数の特定のサービスに構成されるのかを理解している。したがって、（１０．７、「ＡＣＢスキップ情報を確認（ＭＭＴＥＬ）」において）ＮＡＳ  ＥＭＭコンポーネント７４０は、特定のサービスに対応する複数のサービス要求を規制すべく、ＮＡＳ  ＥＭＭコンポーネント７４０がＲＲＣコンポーネント７５０から受信した任意の以前の指示を迂回し得る。
【００７０】
ＮＡＳ  ＥＭＭコンポーネント７４０は、サービスに対するＲＲＣ接続の確立要求を、ＲＲＣコンポーネント７５０に送信し得る。（１０．８、「ＲＲＣ接続要求を確立（ＭＭＴＥＬサービスインジケータ）において」要求はまた、サービスの指示を含み得る）。サービスの指示は、一般的なもの（例えば、ＵＥ発信のＡＣＢの迂回）またはより具体的なもの（すなわち、上記のとおり、ＭＭＴｅｌ音声等のアプリケーションまたはサービス毎）であり得る。
【００７１】
（１０．９、「ＡＣＢスキップが適用されるか否かを確認（ＭＭＴＥＬ、ＳＭＳ）」において）ＲＲＣコンポーネント７５０は、ＡＣＢスキップが特定のサービスタイプに対してアクティブであるとき、そのサービスに対してＡＣＢスキップを実行し得、要求された接続を確立し得る。ＡＣＢスキップが特定のサービスに対してアクティブではないが、ＡＣＢがアクティブであるとき、ＲＲＣコンポーネント７５０は、複数の通常のＡＣＢ手続きに従って、ＲＲＣ接続の確立要求を無視する可能性があり得る。
【００７２】
図１１は、図５の説明に基づくＳＧまたはＳ１０２インタフェースを介するＳＭＳに対するＡＣＢスキップの可能な実装を示す図である。図１１に示されるとおり、ＵＥ１１０により実装される機能は、ＳＭＳコンポーネント１１１０、ＮＡＳコンポーネント１１２０、およびＲＲＣコンポーネント１１３０を含み得る。図１１に更に示されるとおり、ｅＮｏｄｅＢ１３２等のワイヤレスネットワーク１２０により実装される機能は、ＲＲＣコンポーネント１１４０を含み得る。コンポーネント１１１０からコンポーネント１１３０の各々は、ＵＥ１１０での複数の異なるプロトコルレイヤの動作に関連するロジックを表し得る。同様に、コンポーネント１１４０は、ワイヤレスネットワーク１２０におけるＲＲＣレイヤの動作に関連するロジックを表し得る。
【００７３】
ＳＭＳコンポーネント１１１０は、複数のＳＭＳサービスに関連する複数の機能を実行し得る。ＮＡＳコンポーネント１１２０は、ＵＥ１１０とＭＭＥ１３４との間で制御プレーンに関連する複数の制御機能を実行し得る。複数のＲＲＣコンポーネント１１３０は、ＬＴＥエアインタフェースの制御プレーンに関連する複数の制御機能を、ＵＥ１１０で実行し得る。同様に、ＲＲＣコンポーネント１１４０は、ＬＴＥエアインタフェースの制御プレーンに関連する複数の制御機能を、ワイヤレスネットワーク１２０において実行し得る。
【００７４】
図１１に示されるとおり、ＲＲＣコンポーネント１１３０は、ＡＣＢスキップがアクティブであるという指示を、ＲＲＣコンポーネント１１４０から受信し得る。前述したとおり、（１１．１、「ＳＩＢ２−ＡＣＢスキップ」において）指示は、ＳＩＢ２のメッセージの一部として受信され得る。（１１．２、「ＳＭＳトランザクション要求」において）ＳＭＳコンポーネント１１１０は、ＳＭＳ要求がいつ行われるのかを、ＮＡＳコンポーネント１１２０に通知し得る。.ＮＡＳコンポーネント１１２０は、ＡＣＢスキップが構成されているか否かを理解していない。（１１．３、「ＳＭＳに対してセル規制通知を無視」において）この実装において、ＮＡＳコンポーネント１１２０はしたがって、ＳＭＳサービスからのサービス要求を規制すべく（すなわち、ＡＣＢ）、ＲＲＣコンポーネント１１３０から受信した任意の以前の指示を常に迂回し得る。（１１．４「ＳＭＳサービス指示を有するサービス要求」において）ＮＡＳコンポーネント１１２０は、ＲＲＣ接続を確立すべく、対応するサービス要求の手続き、およびＳＭＳサービスの指示を、ＲＲＣコンポーネント１１３０に転送し得る。ＳＭＳサービスの指示は、一般的なもの（例えば、ＵＥ発信のＡＣＢの迂回）またはより具体的なもの（例えば、上記のとおり、複数のＳＭＳ発信呼び出し等の特定のサービス）であり得る。（１１．５、「ＳＭＳに対してＡＣＢをスキップ」において）ＲＲＣコンポーネント１１３０は、ＡＣＢスキップが複数のＳＭＳサービスに対してアクティブであるとき、ＳＭＳサービスに対してＡＣＢスキップを実行し得る。
【００７５】
図１２は、図６の説明に基づくＳＧまたはＳ１０２インタフェースを介するＳＭＳに対して、ＡＣＢスキップの可能な実装を示す図である。前述したとおり、（１２．１、「ＳＩＢ２−ＡＣＢスキップ」において）指示は、ＳＩＢ２のメッセージの一部として受信され得る。（１２．２、「輻輳指示（ＡＣＢ規制アクティブ）、およびＳＭＳに対して規制条件を無視するよう指示」において）ＲＲＣコンポーネント１１３０が、ＮＡＳコンポーネント１１２０からのサービス要求に起因してＲＲＣ接続の確立要求を受信し、その要求に対してアクセスが拒否されたら（例えば、ＡＣＢがアクティブで、サービスがＡＣＢスキップに対して構成されていない）、ＲＲＣコンポーネント１１３０は、要求されたサービスが規制されていることと、ＡＣＢスキップがＳＭＳに対してアクティブであることとを、ＮＡＳコンポーネント１１２０に通知し得る。
【００７６】
（１２．３、「ＳＭＳトランザクション要求」において）ＳＭＳコンポーネント１１１０は、ＳＭＳ要求がいつ行われるのかを、ＮＡＳコンポーネント１１２０に通知し得る。（１２．４、「以前の指示に基づいてＳＭＳに対してセル規制通知を無視」において）ＮＡＳコンポーネント１１２０は、ＳＭＳに対して規制条件を無視する指示が以前に受信された場合、ＳＭＳ要求に対して複数の任意のＡＣＢ条件を無視し得る。（１２．５、「ＳＭＳサービス指示を有するサービス要求」において）ＮＡＳコンポーネント１１２０は、ＲＲＣ接続の確立要求で、対応するサービス要求の手続き、およびＳＭＳサービスの指示を、ＲＲＣコンポーネント１１３０に転送し得る。ＳＭＳサービスの指示は、一般的なもの（例えば、ＵＥ発信のＡＣＢの迂回）またはより具体的なもの（すなわち、上記のとおり、複数のＳＭＳ発信呼び出し等の特定のサービス）であり得る。（１２．６、「ＳＭＳに対してＡＣＢをスキップ」において）ＲＲＣコンポーネント１１３０は、ＡＣＢスキップがＳＭＳサービスに対してアクティブであるとき、ＳＭＳサービスに対してＡＣＢスキップを実行し得る。
【００７７】
上記のとおり、ＡＣＢスキップを適用することをいつ開始するのかをＲＲＣレイヤが理解すべく、ＩＭＳレイヤは、ＳＩＰ  ＩＮＶＩＴＥがＩＭＳレイヤにより送信される前に、ＩＭＳの呼び出しの開始をＮＡＳレイヤ／ＲＲＣレイヤに通知し得る（例えば、図７から図１０を参照）。この時点で、ＲＲＣレイヤは、（適用可能な場合に）ＡＣＢスキップを適用することを上記の方法において判断することが出来る。いつＡＣＢスキップを適用するかという判断は、本明細書において「開始」指示と呼ばれ得る。
【００７８】
ＡＣＢスキップを開始することに加えて、ＡＣＢスキップを適切に停止することが重要となり得る（本明細書において「停止」指示と呼ばれる）。停止指示を実装するための２つの可能な手法は、（１）特定のＵＥ実装に基づいて、いつＡＣＢスキップがもはや適用されるべきではないのかを判断することを実行する実装固有の手法、または（２）ＩＭＳレイヤからＮＡＳレイヤおよび／またはＲＲＣレイヤに送信される標準指示として停止指示が実装されること、とを含み得る。
【００７９】
手法（１）（実装固有のもの）に関して、ＵＥ１１０は、単一のＲＲＣ接続確立の試みに対してＡＣＢスキップを適用し得、或いは、代替的にまたは更に、ＵＥ１１０は、ある期間ＡＣＢスキップを適用し得る。いくつかの実装において、ＵＥ１１０は、レイヤ間の内部の情報やり取りに基づいて、および／または（例えば、ＩＭＳの呼び出しがいつ完了したのかを判断すべく）ユーザプレーンにおけるパケットのディープパケットインスペクション（ＤＰＩ）に基づいて、ＡＣＢスキップの実行をいつ停止するのかを判断し得る。
【００８０】
手法（２）（標準停止指示）に関して、一実装において、ＩＭＳレイヤが、ＳＩＰ  ＩＮＶＩＴＥメッセージに応答してＳＩＰ  ２００  ＯＫのメッセージを受信後に、標準停止指示がＩＭＳレイヤによって送信され得る。代替的にまたは更に、ＩＭＳレイヤは、停止指示を送信することにより、ＩＭＳサービスが終了、完了、またはリリースされることを、ＮＡＳレイヤおよび／またはＲＲＣレイヤに知らせ得る。ＩＭＳ音声呼び出し、および動画呼び出しに適用可能となり得るより具体的な例として、ＩＭＳレイヤが（ＵＥで）、ＳＩＰ  ＢＹＥに応答してＳＩＰ  ２００  ＯＫを受信後に、または（呼び出しリリースが、ＳＩＰ  ＢＹＥを介してリモートパーティにより開始される場合のために）ＩＭＳレイヤが、ＳＩＰ  ＢＹＥに応答してＳＩＰ  ２００  ＯＫを成功裏に送信後に、ＩＭＳレイヤは停止指示を送信し得る。ＳＭＳ等のＩＭＳサービスに関して、サービスの完了を示すＩＭＳメッセージは異なり得る。
【００８１】
ＩＭＳレイヤは、ＩＭＳサービスが異常終了する場合のために、停止指示を送信し得る。例えば、ＩＭＳレイヤ内で失敗条件が発生するとき、または、ＩＭＳ呼び出しが成功裏に確立する前にユーザがＩＭＳ呼び出し確立の試みを中断するとき、ＩＭＳレイヤは停止指示を更に送信し得る。ＩＭＳ呼び出し中に、無線リンクの失敗、ＲＲＣ接続の再確立失敗、またはＲＲＣ接続の失敗が発生し得るため、ＩＭＳサービスがいつ終了、完了、またはリリースされるのかを、ＮＡＳレイヤ、および／またはＲＲＣレイヤに知らせることは重要となり得る。これらの失敗は、ＲＲＣ接続がリリースされることをもたらし得、ＮＡＳシグナリング接続および複数のユーザプレーンベアラを復元させようとして、トラッキングエリア更新（ＴＡＵ）の手続きを実行するようＮＡＳレイヤをトリガし得る。
【００８２】
図１３は、標準開始指示および標準停止指示が用いられる（例えば、手法（２））、サンプル通信セッションに関連付けられた通信の例示の複数のタイムラインを示す図である。示されるとおり、ＵＥ１１０がワイヤレスネットワーク１２０のセル（「セル１」）を入力し、ＵＥ１１０のＩＭＳレイヤが（例えば、ＭＭＴＥＬ音声に対して）サービス要求を開始する（「開始指示」）ことを想定されたい。サービス要求の一部として、ＳＩＰ  ＩＮＶＩＴＥのメッセージが送信され得（「ＳＩＰ  ＩＮＶＩＴＥ送信」）、接続要求がＲＲＣレイヤに行われ得る（「ＲＲＣ接続要求」）。ＡＣＢスキップがセルに対してアクティブとなり得るため、ＲＲＣ接続の要求が確立され得る（「セル１におけるＡＣＢスキップ」）。ＳＩＰ  ＩＮＶＩＴＥメッセージに応答して、ＳＩＰ  ２００  ＯＫの応答が、ＵＥ１１０により受信され得る（「ＳＩＰ  ２００  ＯＫ受信」）。呼び出しが確立され得（「呼び出し確立」）、ＳＩＰ  ２００  ＯＫのメッセージを受信することに基づき、ＩＭＳレイヤは、停止指示をＲＲＣレイヤまたはＮＡＳレイヤに送信し得る（「停止指示」）。
【００８３】
ある時点で、ＵＥ１１０がセルを第２のセルに変更することを想定されたい（「セル２」）。セルを変更することは、複数のハンドオーバーの動作をもたらし得、複数のハンドオーバーの動作は、ＲＲＣチャネルの再構成または再接続を含み得る（「ＲＲＣ接続再構成」）。更に、接続の失敗が発生することを想定されたい。失敗は、無線リンクの失敗を含み得、無線リンクの失敗は、ＵＥ１１０により検出され得る（「ＲＬＦ検出」）。ＵＥ１１０は後に、接続を再確立しようと試み得る（「ＲＲＣ接続再確立要求」）。再確立の試みが失敗し（「再確立失敗」）、ＵＥ１１０がアイドルモードに入る（「アイドルモード」）ことを想定されたい。ある時点で、セルは再選択され得（「セル再選択」）、ＮＡＳシグナリング接続および複数のユーザプレーンベアラを復元させようとして、ＮＡＳレイヤにより、トラッキングエリア更新の手続きが実行され得る（「トラッキングエリア更新」および「セル２［「セル２」に対する２番目の参照］」）。ＡＣＢスキップは、セル２においてアクティブとなり得る（「セル２におけるＡＣＢスキップ」）。ＵＥ１１０は、新たな呼び出しを確立し得（「呼び出し確立」）、ＵＥ  ＩＭＳレイヤが、送信されるＳＩＰ  ＢＹＥのメッセージに応答してＳＩＰ  ２００  ＯＫのメッセージを受信後に、ＵＥ１１０のＩＭＳレイヤは、停止指示（「停止指示」）を送信し得る（「ＳＩＰ  ＢＹＥ送信」および「ＳＩＰ２００  ＯＫ受信」）。
【００８４】
図１４から図１６は、停止指示および開始指示を生成するための複数の動作に関連する、複数の異なる実装を示す図である。図１４から図１６の複数の動作は、ＩＭＳレイヤ３１０、ＲＲＣレイヤ３２０、およびＮＡＳレイヤ３３０間での複数の通信に関して説明される。図１４から図１６において、太字フォントで示された複数の動作は、複数の規格外通信および／またはＩＭＳレイヤ３１０、ＲＲＣレイヤ３２０、およびＮＡＳレイヤ３３０に関連付けられた複数のプロセスを表し得る。
【００８５】
図１４の実装において、開始指示および停止指示は、ＩＭＳレイヤ３１０からＲＲＣレイヤ３２０へと送信され得る。図１４に示されるとおり、（１４．１、「ＡＣＢスキップが複数の特定のサービスに対してアクティブであるという指示」において）ＲＲＣレイヤ３２０は、ＡＣＢスキップがアクティブであるという指示を受信し得る。前述したとおり、指示は、システム情報ブロックタイプ２のメッセージの一部として受信され得る。（１４．２、「ＩＭＳサービスインジケータ（開始）」において）ＩＭＳレイヤ３１０は、ＩＭＳサービスが、サービス要求の手続きのトリガを生じさせるときを、ＲＲＣレイヤ３２０に通知し得る。通知は、サービスの指示を含み得る。通知は、開始インジケータとして機能し得る。.ＡＣＢスキップがサービスに対してアクティブであれば、ＲＲＣレイヤ３２０は、規制タイマを停止し得る（タイマＴ３０３）。（１４．３、「輻輳緩和通知」において）ＲＲＣレイヤ３２０はまた、輻輳緩和がアクティブであることを、ＮＡＳレイヤ３３０に通知し得る。（１４．４、「ユーザプレーンを介したサービス要求」において）ＮＡＳレイヤ３３０は、対応するＩＭＳの送信要求を受信し得る。（１４．５、「ＲＲＣ接続を確立する要求」において）ＮＡＳレイヤ３３０は、ＲＲＣ接続の確立を、ＲＲＣレイヤ３２０に要求し得る。（１４．６、「特定のＩＭＳサービスに対してＡＣＢをスキップ」において）ＲＲＣレイヤ３２０は、ＡＣＢスキップが特定のＩＭＳサービス対してアクティブであるとき、そのサービスに対してＡＣＢスキップを実行し得る。ＡＣＢスキップのトリガがあると、ＲＲＣレイヤ３２０は、規制タイマ（タイマＴ３０３）をリセットし得る。（１４．７、「ＩＭＳサービスインジケータ（停止）」において）ＩＭＳレイヤ３１０は、ＩＭＳサービスの完了を、ＲＲＣレイヤ３２０に通知し得る。通知は、停止指示として機能し得る。この時点で、ＲＲＣレイヤ３２０は、複数の今後のＲＲＣ接続確立手続きのため、複数のＡＣＢ確認の実行を再開し得る。
【００８６】
図１５の実装において、開始指示および停止指示は、ＩＭＳレイヤ３１０からＮＡＳレイヤ３３０に送信され得る。開始指示および停止指示は、ＲＲＣ接続を確立する要求ごとに、ＮＡＳレイヤ３３０によって、ＲＲＣレイヤ３２０に転送され得る。
【００８７】
図１５に示されるとおり、（１５．１、「ＡＣＢスキップが複数の特定のサービスに対してアクティブであるという指示」において）ＲＲＣレイヤ３２０は、ＡＣＢスキップがアクティブであるという指示を受信し得る。前述したとおり、指示は、ＳＩＢ２のメッセージの一部として受信され得、ＡＣＢスキップが適用される複数の特定のサービスタイプを示し得る。ＲＲＣレイヤ３２０は、輻輳条件をＮＡＳレイヤ３３０に通知し得る。（１５．２、「輻輳指示、および複数の特定のサービスに対して規制条件を無視する指示」において）通知はまた、ＡＣＢスキップメッセージの一部として受信された複数の特定のサービスに対してＡＣＢを無視する（すなわち、ある複数のサービスに対して規制を無視する）指示を含み得る。言い換えると、ＡＣＢに起因したサービスのブロックの可能性があるとき、失敗通知がＲＲＣレイヤ３２０からＮＡＳレイヤ３３０に送信され得、ＡＣＢスキップがアクティブであるとき、ＮＡＳレイヤ３３０が複数の特定のサービスタイプに対してＡＣＢを無視すべきであることを示す通知もまた送信され得る。いくつかの実装において、輻輳指示（１５．２）は、複数のサービスの特定のリストに関連付けられ得ない。この場合、ＮＡＳレイヤ３３０は、ＡＣＢスキップの対象になり得る任意のサービスに対して規制条件を無視し得る。
【００８８】
（１５．３、「ユーザプレーンを介したサービス要求」において）ＮＡＳレイヤ３３０は、ＩＭＳ要求をＩＭＳレイヤ３１０から受信し得る。（１５．４、「ＩＭＳサービスインジケータ（開始）」において）ＩＭＳレイヤ３１０はまた、サービスタイプの指示を、ＮＡＳレイヤ３３０に提供し得る。サービスタイプの指示は、開始インジケータとして機能し得る。一実装において、通信１５．３がＢＣ／ＲＡＢＭ（無線アクセスベアラマネージャ）を通じて行われ得、通信１５．４は、ＡＴコマンドを介する等、ＩＭＳレイヤ３１０とＮＡＳレイヤ３３０との間の直接通信であり得る。（１５．４において指示された）サービスが、（１５．２において指示された）複数の特定のサービスに対してＮＡＳレイヤ３３０がＡＣＢを無視すべきであることを示す通知に対応するサービスに一致するとき、（１５．５、「複数の特定のサービスに対して規制条件を無視」において）ＮＡＳレイヤ３３０は、複数の特定のサービスに対してＡＣＢを無視し得る。ＮＡＳレイヤ３３０は、サービス要求に関して、ＲＲＣ接続の確立要求をＲＲＣレイヤ３２０に送信し得る。（１５．６、「サービス指示（開始）を含む、ＲＲＣ接続を確立する要求」において）要求はまた、サービスの指示を含み得る。（１５．７、「特定のＩＭＳサービスに対してＡＣＢをスキップ」において）ＲＲＣレイヤ３２０は、ＡＣＢスキップが特定のＩＭＳサービスに対してアクティブであるとき、要求されたＲＲＣ接続を確立することにより、そのサービスに対してＡＣＢスキップを実行し得る。（１５．８「ＮＡＳが知らせを受ける、ＩＭＳサービスインジケータ（停止）」において）ＩＭＳサービスが完全であるとき、ＩＭＳレイヤ３１０は、ＮＡＳレイヤ３３０に通知を行い得、（１５．９、「ＮＡＳがＲＲＣに知らせる、ＩＭＳサービスインジケータ（停止）」において）ＮＡＳレイヤ３３０はＲＲＣレイヤ３２０に通知を行い得る。このように、停止指示がＩＭＳレイヤ３１０からＲＲＣレイヤ３２０に転送され得る。
【００８９】
図１６の実装において、開始指示がＩＭＳレイヤ３１０からＮＡＳレイヤ３３０に送信され得、それからＮＡＳレイヤ３３０からＲＲＣレイヤ３２０に送信され得る。停止指示は、ＩＭＳレイヤ３１０からＮＡＳレイヤ３３０に送信され得る。サービス要求はＮＡＳレイヤ３３０により常に開始され得るため、停止指示は、（ＲＲＣレイヤ３２０ではなく）ＮＡＳレイヤ３３０においてのみ必要となり得る。
【００９０】
図１６に示されるとおり、ＲＲＣレイヤ３２０は、ＡＣＢスキップがアクティブであるという指示を受信し得る。前述したとおり、（１６．１、「ＡＣＢスキップがアクティブであるという指示」において）指示は、ＳＩＢ２のメッセージの一部として受信され得、ＡＣＢスキップが適用される特定のサービスを示し得る。ＲＲＣレイヤ３２０は、輻輳条件をＮＡＳレイヤ３３０に通知し得る。（１６．２、「輻輳指示、および複数の特定のサービスに対して規制条件を無視するよう指示」において）通知はまた、ＡＣＢスキップメッセージの一部として受信された複数の特定のサービスに対してＡＣＢを無視する（すなわち、ある複数のサービスに対して規制を無視する）指示を含み得る。言い換えると、ＡＣＢに起因したサービスのブロックの可能性があるとき、失敗通知がＲＲＣレイヤ３２０からＮＡＳレイヤ３３０に送信され得、ＡＣＢスキップがアクティブであるとき、ＮＡＳレイヤ３３０が複数の特定のサービスに対してＡＣＢを無視するべきことを示す通知もまた送信され得る。いくつかの実装において、輻輳指示（１６．２）は、複数のサービスの特定のリストに関連付けられ得ない。この場合、ＮＡＳレイヤ３３０は、ＡＣＢスキップの対象になり得る任意のサービスに対して規制条件を無視し得る。
【００９１】
（１６．３、「ユーザプレーンを介したサービス要求」において）ＮＡＳレイヤ３３０は、ＩＭＳ要求をＩＭＳレイヤ３１０から受信し得る。（１６．４「ＩＭＳサービスインジケータ（開始）」において）ＩＭＳレイヤ３１０はまた、サービスの指示をＮＡＳレイヤ３３０に提供し得る。サービスの指示は、開始インジケータとして機能し得る。一実装において、通信１６．３がＢＣ／ＲＡＢＭを通じて行われ得、通信１６．４は、ＡＴコマンドを介する等、ＩＭＳレイヤ３１０とＮＡＳレイヤ３３０との間の直接通信であり得る。（１６．４において指示された）サービスが、（１６．２において指示された）複数の特定のサービスに対してＮＡＳレイヤ３３０がＡＣＢを無視すべきであることを示す通知に対応するサービスに一致するとき、（１６．５、「複数の特定のサービスに対して規制条件を無視」において）ＮＡＳレイヤ３３０は、複数の特定のサービスに対してＡＣＢを無視し得る。ＮＡＳレイヤ３３０は、サービス要求に関して、ＲＲＣ接続の確立要求をＲＲＣレイヤ３２０に送信し得る。（１６．６、「サービス指示を含む、ＲＲＣ接続を確立する要求」において）要求はまた、サービスの指示を含み得る。このように、ＲＲＣ接続を確立すべく、ＩＭＳサービスインジケータ（停止）が、ＮＡＳレイヤ３３０によってＩＭＳレイヤ３１０から受信されるまで、複数のＩＭＳ要求はそれぞれＮＡＳレイヤ３３０によってＲＲＣレイヤ３２０に転送され得る。（１６．７、「特定のＩＭＳサービスに対してＡＣＢをスキップ」において）ＲＲＣレイヤ３２０は、ＡＣＢスキップが特定のＩＭＳサービスに対してアクティブであるとき、要求されたＲＲＣ接続を確立することにより、そのサービスに対してＡＣＢスキップを実行し得る。（１６．８、「ＮＡＳが知らせを受ける、ＩＭＳサービスインジケータ（停止）」において）ＩＭＳサービスが完全であるとき、ＩＭＳレイヤ３１０は、ＮＡＳレイヤ３３０に通知し得る。この実装において、ＮＡＳレイヤ３３０は、ＩＭＳサービスに対してＲＲＣ接続を確立する、ＲＲＣに対する要求を開始することを担っているため、停止指示をＲＲＣレイヤ３２０に伝搬する必要はない。
【００９２】
図１７は、デバイス１７００の例示的なコンポーネントの図である。図１、図３から図１２、および図１４から図１６に示される複数のデバイスのいくつかは、１または複数のデバイス１７００を含み得る。デバイス１７００は、バス１７１０、プロセッサ１７２０、メモリ１７３０、入力コンポーネント１７４０、出力コンポーネント１７５０、および通信インタフェース１７６０を含み得る。別の実装において、デバイス１７００は、複数の追加の、より少ない、異なる、または異なって配置されたコンポーネントを含み得る。.
【００９３】
バス１７１０は、デバイス１７００のコンポーネント間で、通信を許可する１または複数の通信パスを含み得る。プロセッサ１７２０は、複数の命令を解釈および実行し得るプロセッサ、マイクロプロセッサ、または処理ロジック等、処理回路を含み得る。メモリ１７３０は、プロセッサ１７２０による実行のための情報および複数の命令を格納し得る任意のタイプの動的ストレージデバイス、および／またはプロセッサ１７２０により用いられる情報を格納し得る任意のタイプの不揮発性ストレージデバイスを含み得る。
【００９４】
入力コンポーネント１７４０は、キーボード、キーパッド、ボタン、スイッチ等といった、デバイス１７００に情報を入力するオペレータを許可するメカニズムを含み得る。出力コンポーネント１７５０は、ディスプレイ、スピーカ、１または複数の発光ダイオード（ＬＥＤｓ）等といった、オペレータに情報を出力するメカニズムを含み得る。
【００９５】
通信インタフェース１７６０は、デバイス１７００が複数の他のデバイスおよび／またはシステムと通信することを可能にする任意の送受信機のようなメカニズムを含み得る。例えば、通信インタフェース１７６０は、イーサネット（登録商標）インタフェース、光インタフェース、同軸インタフェース等を含み得る。通信インタフェース１７６０は、赤外線（ＩＲ）受信機、Ｂｌｕｅｔｏｏｔｈ（登録商標）無線、ＷｉＦｉ無線、セルラー無線等といった、ワイヤレス通信デバイスを含み得る。ワイヤレス通信デバイスは、遠隔制御、ワイヤレスキーボード、携帯電話等といった、外部のデバイスに結合され得る。いくつかの実施形態において、デバイス１７００は１より多い通信インタフェース１７６０を含み得る。例えば、デバイス１７００は、光インタフェースおよびイーサネット（登録商標）インタフェースを含み得る。
【００９６】
デバイス１７００は、上述のある動作を実行し得る。デバイス１７００は、プロセッサ１７２０がメモリ１７３０等のコンピュータ可読媒体において格納されるソフトウェア命令を実行することに応答して、これらの動作を実行し得る。コンピュータ可読媒体は、非一時的メモリデバイスとして定義され得る。メモリデバイスは、単一の物理メモリデバイス内に空間を含み得、または複数の物理メモリデバイスにわたって分散し得る。複数のソフトウェア命令は、別のコンピュータ可読媒体から、または別のデバイスから、メモリ１７３０に読み込まれ得る。メモリ１７３０に格納されるソフトウェア命令は、プロセッサ１７２０に対して、本明細書において説明された複数のプロセスを実行させ得る。代替的に、ハードワイヤードの回路は、本明細書において説明されたプロセスを実装すべく、複数のソフトウェア命令の代わりに、または複数のソフトウェア命令を組み合わせて用いられ得る。したがって、本明細書において説明された複数の実装は、ハードウェア回路およびソフトウェアの任意の特定の組み合わせに限定されない。
【００９７】
先行する明細書において、複数の様々な実施形態が、複数の添付図面を参照して説明されてきた。しかしながら、以下の複数の請求項において記載された発明のより広範囲から逸脱することなく、複数の様々な改良および変更が本発明に対して行われ得、複数の追加の実施形態が実装され得ることが明らかであろう。明細書および複数の図面は、したがって、限定的な意味ではなく、例示的にみなされることになる。
【００９８】
例えば、図２に関して一連のブロックが説明されてきたが、複数のブロックの順番は、他の実装において変更され得る。更に、複数の非依存ブロックが並行して実行され得る。
【００９９】
上述のような複数の例示的な態様は、図で示された複数の実装における多くの異なる形態のソフトウェア、ファームウェア、およびハードウェアにおいて実装され得ることが明らかとされよう。これらの態様を実装すべく用いられる実際のソフトウェアコードまたは特化した制御ハードウェアは、限定的に解釈されるべきではない。したがって、複数の態様の動作および挙動は、特定のソフトウェアのコードを参照することなく説明され、ソフトウェアおよび制御ハードウェアは、本明細書における説明に基づき態様を実装すべく設計され得たことが理解されよう。
【０１００】
更に、発明のある複数の個所は、１または複数の機能を実行する「ロジック」として実装され得る。このロジックは、ＡＳＩＣまたはＦＰＧＡ等のハードウェア、またはハードウェアおよびソフトウェアの組み合わせ等を含み得る。
【０１０１】
複数の特徴の複数の特定の組み合わせが複数の請求項において記載され、および／または、明細書において開示されているが、これらの組み合わせは発明を限定するよう意図されてはいない。実際、これらの特徴の多くが、複数の請求項において具体的に記載されない、および／または明細書において具体的に開示されていない方法で組み合わせられ得る。
【０１０２】
本願で用いられる構成要素、作用、または命令は、明示的にそのように説明されていない限り、重大または不可欠と解釈されるべきではない。「および（ａｎｄ）」という用語の使用の例は、本明細書において用いられる場合、その例において「および／または（ａｎｄ／ｏｒ）」という表現が意図されていたという解釈を必ずしも妨げるものではない。同様に、「または（ｏｒ）」という用語の使用の例は、本明細書において用いられる場合、その例において「および／または（ａｎｄ／ｏｒ）」という表現が意図されていたという解釈を必ずしも妨げるものではない。また、「ａ」という冠詞は、本明細書において用いられる場合、１または複数の項目を含むよう意図されていて、「１または複数」という表現と交換可能に用いられ得る。１項目のみが意図される場合、「１の（ｏｎｅ）」「単一（ｓｉｎｇｌｅ）」「のみ（ｏｎｌｙ）」という複数の用語、または同様の言葉が用いられる。更に、「に基づく（ｂａｓｅｄ  ｏｎ）」という表現は、明示的に別段の定めをした場合を除き、「少なくとも一部に基づく（ｂａｓｅｄ，  ａｔ  ｌｅａｓｔ  ｉｎ  ｐａｒｔ，  ｏｎ）」と意味することが意図されている。
本実施形態の例を下記の各項目として示す。
［項目１］
ユーザ機器（ＵＥ）であって、
前記ＵＥは、非アクセス層（ＮＡＳ）レイヤを実装する処理回路を備え、
前記ＮＡＳレイヤは、
前記ＵＥにより発信される特定のサービスタイプに対する送信要求を、前記ＮＡＳレイヤに対する上位レイヤから受信し、
前記ＵＥに関連付けられたセルへのアクセスが規制されるという指示を、前記ＵＥの無線リソース制御（ＲＲＣ）レイヤから受信し、
前記特定のサービスタイプが所定の一式の複数のサービスタイプに一致するとき、前記セルへの前記アクセスが規制されるという前記指示を迂回し、
前記迂回することは、
前記ＲＲＣレイヤが前記サービス要求に対してＲＲＣ接続を確立することを要求することと、
前記ＲＲＣ接続を確立する前記要求が前記特定のサービスタイプに対応することを、前記ＲＲＣレイヤに通知することと、
を含むＵＥ。
［項目２］
前記送信要求は、インターネットプロトコルマルチメディア（ＩＭＳ）要求またはショートメッセージサービス（ＳＭＳ）要求を含む、項目１に記載のＵＥ。
［項目３］
前記ＵＥは、
アクセスクラス規制スキップ（ＡＣＢ）の状態に関連する指示を、ネットワークから受信し、
前記アクセスクラス規制スキップの前記状態が、アクセスクラス規制スキップが前記特定のサービスタイプに対してアクティブであることを示すとき、前記ＮＡＳレイヤからの前記要求に基づいて、前記ＲＲＣ接続を確立する、
前記ＲＲＣレイヤを実装する処理回路を更に備える、項目１または２に記載のＵＥ。
［項目４］
前記ＲＲＣレイヤは更に、前記ＡＣＢスキップの前記状態が、ＡＣＢスキップが前記特定のサービスタイプに対してアクティブでないことを示すとき、前記ＲＲＣ接続の前記確立を規制する、項目３に記載のＵＥ。
［項目５］
前記所定の一式の複数のサービスタイプは、
マルチメディアテレフォニ（ＭＭＴｅｌ）動画、
ＭＭＴｅｌ音声、
ＭＭＴｅｌショートメッセージサービス（ＳＭＳ）、および、
ＳＧまたはＳ１０２インタフェースを介するＳＭＳのうち、少なくとも１つを含む、項目１から４のいずれか１項に記載のＵＥ。
［項目６］
前記送信要求は、前記ＵＥのインターネットプロトコル（ＩＰ）マルチメディア（ＩＭＳ）レイヤから受信される、項目１から５のいずれか１項に記載のＵＥ。
［項目７］
前記送信要求は、ショートメッセージサービス（ＳＭＳ）レイヤから受信される、項目１から６のいずれか１項に記載のＵＥ。
［項目８］
前記アクセスクラス規制スキップの前記状態に関連する前記ネットワークからの前記指示は、様々な複数のサービスに対する前記アクセスクラス規制スキップ状態を示す１または複数のフィールドを含む、システム情報ブロックタイプ２（ＳＩＢ２）のメッセージを含む、項目３から７のいずれか１項に記載のＵＥ。
［項目９］
前記通知は、ＲＲＣ確立要因または呼び出しタイプを設定することに基づく、項目１から８のいずれか１項に記載のＵＥ。
［項目１０］
前記送信要求は、インターネットプロトコル（ＩＰ）マルチメディア（ＩＭＳ）レイヤから前記ＮＡＳレイヤに、ＡＴコマンドを介して伝達される、項目１から９のいずれか１項に記載のＵＥ。
［項目１１］
前記処理回路は、前記特定のサービスが停止されているという指示を、インターネットプロトコル（ＩＰ）マルチメディア（ＩＭＳ）レイヤから受信する、前記ＮＡＳレイヤを更に実装する、項目１から１０のいずれか１項に記載のＵＥ。
［項目１２］
輻輳に起因してセルが規制されるというアクセスクラス規制（ＡＣＢ）指示を、ネットワークから、ユーザ機器（ＵＥ）により受信する段階と、
前記ＵＥにより発信される１または複数の特定のサービスに対してＡＣＢが迂回されるべきであるという指示を、前記ネットワークから、前記ＵＥの無線リソース制御（ＲＲＣ）レイヤにより受信する段階と、
前記ＵＥにより発信されているサービスの特定を、前記ＵＥのアプリケーションレイヤから、前記ＵＥの非アクセス層（ＮＡＳ）レイヤへ提供する段階と、
前記サービスに対する無線接続の確立要求を、前記ＮＡＳレイヤから、前記ＲＲＣレイヤにより受信する段階と、
前記サービスの前記提供された特定を、前記ＲＲＣレイヤにより受信する段階と、
前記ＲＲＣレイヤにより受信された前記サービスの前記特定が、ＡＣＢが迂回されるべきであるという前記指示に関連付けられた前記１または複数の特定のサービスに一致するとき、ＡＣＢの前記指示にもかかわらず、前記サービスに対する前記無線接続を、前記ネットワークと共に、前記ＲＲＣレイヤにより確立する段階と、
を備える方法。
［項目１３］
前記サービスは、マルチメディアテレフォニ（ＭＭＴｅｌ）動画の呼び出し、ＭＭＴｅｌ音声の呼び出し、またはＭＭＴｅｌ  ＳＭＳを含む、項目１２に記載の方法。
［項目１４］
前記アプリケーションレイヤは、インターネットプロトコル（ＩＰ）マルチメディア（ＩＭＳ）レイヤを含む、項目１２または１３に記載の方法。
［項目１５］
前記サービスは、ＳＧまたはＳ１０２インタフェースを介するショートメッセージサービス（ＳＭＳ）サービスを含み、前記アプリケーションレイヤは、ＳＭＳレイヤを含む、項目１２から１４のいずれか１項に記載の方法。
［項目１６］
ＡＣＢが迂回されるべきであるという前記ネットワークからの前記指示は、迂回されるべき前記１または複数の特定のサービスを示す１または複数のフィールドを含む、システム情報ブロックタイプ２（ＳＩＢ２）のメッセージとして受信される、項目１２から１５のいずれか1項に記載の方法。
［項目１７］
前記サービスの前記特定の前記提供する段階は、ＡＴコマンドを介して実行される、項目１２から１６のいずれか１項に記載の方法。
［項目１８］
いつ前記サービスが停止したかという指示を、インターネットプロトコル（ＩＰ）マルチメディア（ＩＭＳ）レイヤから、前記ＮＡＳレイヤに提供する段階を更に備える、項目１２から１７のいずれか１項に記載の方法。
［項目１９］
複数のプロセッサ実行可能命令を格納する非一時的メモリデバイスと、
前記複数のプロセッサ実行可能命令を実行するプロセッサと、
を備えるユーザ機器（ＵＥ）であって、
前記複数のプロセッサ実行可能命令を実行することは、前記プロセッサに、
輻輳に起因してセルが規制されるというアクセスクラス規制（ＡＣＢ）指示を、セルラーネットワークから受信させ、
前記ＵＥにより発信される１または複数の特定のサービスに対してＡＣＢが迂回されるべきであるという指示を、ネットワークから、前記ＵＥの無線リソース制御（ＲＲＣ）レイヤにより受信させ、
前記ＵＥにより発信されているサービスの特定を、前記ＵＥのアプリケーションレイヤから、前記ＵＥの非アクセス層（ＮＡＳ）レイヤへ提供させ、
前記サービスに対する無線接続の確立要求を、前記ＮＡＳレイヤから、前記ＲＲＣレイヤによって受信させ、
前記サービスの前記提供された特定を、前記ＲＲＣレイヤにより受信させ、
前記ＲＲＣレイヤにより受信された前記サービスの前記特定が、ＡＣＢが迂回されるべきという指示に関連付けられた前記１または複数の特定のサービスに一致するとき、前記サービスに対する前記無線接続を、前記ネットワークと共に、前記ＲＲＣレイヤにより確立させる、ＵＥ。
［項目２０］
前記サービスは、マルチメディアテレフォニ（ＭＭＴｅｌ）動画の呼び出し、ＭＭＴｅｌ音声の呼び出し、またはＭＭＴｅｌ  ＳＭＳを含む、項目１９に記載のＵＥ。
［項目２１］
前記アプリケーションレイヤは、インターネットプロトコル（ＩＰ）マルチメディア（ＩＭＳ）レイヤを含む、項目２０に記載のＵＥ。
［項目２２］
前記サービスは、ＳＧまたはＳ１０２インタフェースを介するショートメッセージサービス（ＳＭＳ）サービスを含み、前記アプリケーションレイヤは、ＳＭＳレイヤを含む、項目１９から２１のいずれか１項に記載のＵＥ。
［項目２３］
ＡＣＢが迂回されるべきという前記ネットワークからの前記指示は、迂回されるべき前記１または複数の特定のサービスを示す１または複数のブール値フィールドを含む、システム情報ブロックタイプ２（ＳＩＢ２）のメッセージとして受信される、項目２２に記載のＵＥ。
［項目２４］
前記サービスの前記特定の前記提供する段階は、ＡＴコマンドを介して実行される、項目１９から２３のいずれか１項に記載のＵＥ。
［項目２５］
前記複数のプロセッサ実行可能命令は更に、前記プロセッサにより実行されると、前記プロセッサに、前記サービスがいつ停止したかという指示を、インターネットプロトコル（ＩＰ）マルチメディア（ＩＭＳ）レイヤから、および前記ＮＡＳレイヤに提供させる、項目１９から２４のいずれか１項に記載のＵＥ。
【図１】
2018110444.tif 000005
【図２】
2018110444.tif 000006
【図３】
2018110444.tif 000007
【図４】
2018110444.tif 000008
【図５】
2018110444.tif 000009
【図６】
2018110444.tif 000010
【図７】
2018110444.tif 000011
【図８】
2018110444.tif 000012
【図９】
2018110444.tif 000013
【図１０】
2018110444.tif 000014
【図１１】
2018110444.tif 000015
【図１２】
2018110444.tif 000016
【図１３】
2018110444.tif 000017
【図１４】
2018110444.tif 000018
【図１５】
2018110444.tif 000019
【図１６】
2018110444.tif 000020
【図１７】
2018110444.tif 000021
【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
無線ネットワークにおけるユーザ機器（ＵＥ）であって、
前記無線ネットワークにおける発展型ＮｏｄｅＢ（ｅＮＢ）から、前記ＵＥに関連付けられたセルへのアクセス規制のスキップがサービスに対してアクティブであることを示す第１の指示を受信するための無線リソース制御レイヤ（ＲＲＣレイヤ）と、
非アクセス層レイヤ（ＮＡＳレイヤ）と、を備え、
前記ＮＡＳレイヤは、
前記ＲＲＣレイヤから、前記アクセス規制がアクティブであることを示す第２の指示を受信し、
前記サービスを開始するべく上位層から受信した第３の指示に応答して、前記サービスのためのＲＲＣ接続を確立するべく前記ＲＲＣレイヤへの要求を提供するためのものである
ＵＥ。
【請求項２】
前記第２の指示は、前記アクセス規制をスキップするための追加の指示を含む
請求項１に記載のＵＥ。
【請求項３】
前記アクセス規制をスキップするための前記追加の指示は、前記サービスの指示を含む
請求項２に記載のＵＥ。
【請求項４】
前記ＮＡＳレイヤはさらに、アプリケーションレイヤから、前記サービスが完了したという通知を受信するためのものである
請求項１から３のいずれか一項に記載のＵＥ。
【請求項５】
前記ＮＡＳレイヤはさらに、
前記サービスが停止されているという第４の指示を、アプリケーションレイヤから受信し、
前記第４の指示に応答して、前記アクセス規制の前記スキップを停止するためのものである
請求項１から４のいずれか一項に記載のＵＥ。
【請求項６】
前記サービスは、インターネットプロトコル（ＩＰ）セッションを介したショートメッセージサービス（ＳＭＳ）またはマルチメディアテレフォニ（ＭＭＴｅｌ）サービスまたはＭＭＴｅｌ動画である
請求項１から５のいずれか一項に記載のＵＥ。
【請求項７】
前記第１の指示は、システム情報ブロックタイプ２（ＳＩＢ２）のメッセージの一部として受信される
請求項１から６のいずれか一項に記載のＵＥ。
【請求項８】
アプリケーションレイヤは、インターネットプロトコル（ＩＰ）マルチメディア（ＩＭＳ）レイヤまたはショートメッセージサービス（ＳＭＳ）レイヤである
請求項１から７のいずれか一項に記載のＵＥ。
【請求項９】
複数のプログラム命令を含む非一時的コンピュータ可読記憶媒体と、
非アクセス層レイヤ（ＮＡＳレイヤ）を実装すべく、前記複数のプログラム命令を実行するための処理回路と、を備えるデバイスであって、
前記ＮＡＳレイヤは、
無線リソース制御レイヤ（ＲＲＣレイヤ）から、前記デバイスに関連付けられたセルへのアクセス規制のスキップがサービスに対してアクティブであることを示す第１の指示を受信し、
前記ＲＲＣレイヤから、前記アクセス規制がアクティブであることを示す第２の指示を受信し、
前記サービスを開始するべく上位層から受信した第３の指示に応答して、前記サービスのためのＲＲＣ接続を確立するべく前記ＲＲＣレイヤへの要求を提供するためのものである
デバイス。
【請求項１０】
前記第２の指示は、前記アクセス規制をスキップするための追加の指示を含む
請求項９に記載のデバイス。
【請求項１１】
前記アクセス規制を無視するための前記追加の指示は、前記サービスの指示を含む
請求項１０に記載のデバイス。
【請求項１２】
前記ＮＡＳレイヤはさらに、アプリケーションレイヤから、前記サービスが完了したという通知を受信するためのものである
請求項９から１１のいずれか一項に記載のデバイス。
【請求項１３】
前記ＮＡＳレイヤはさらに、
前記サービスが停止されているという第４の指示を、アプリケーションレイヤから受信し、
前記第４の指示に応答して、前記アクセス規制の前記スキップを停止するためのものである
請求項９から１２のいずれか一項に記載のデバイス。
【請求項１４】
前記サービスは、インターネットプロトコル（ＩＰ）セッションを介したショートメッセージサービス（ＳＭＳ）またはマルチメディアテレフォニ（ＭＭＴｅｌ）サービスまたはＭＭＴｅｌ動画である
請求項９から１３のいずれか一項に記載のデバイス。
【請求項１５】
前記第１の指示は、システム情報ブロックタイプ２（ＳＩＢ２）のメッセージの一部として受信される
請求項９から１４のいずれか一項に記載のデバイス。
【請求項１６】
アプリケーションレイヤは、インターネットプロトコル（ＩＰ）マルチメディア（ＩＭＳ）レイヤまたはショートメッセージサービス（ＳＭＳ）レイヤである
請求項９から１５のいずれか一項に記載のデバイス。
【請求項１７】
１または複数のプロセッサに非アクセス層レイヤ（ＮＡＳレイヤ）を実装させるためのプログラムであって、前記ＮＡＳレイヤは、
前記１または複数のプロセッサに関連付けられたセルへのアクセス規制のスキップがサービスに対してアクティブであることを示す第１の指示を、無線リソース制御レイヤ（ＲＲＣレイヤ）から受信し、
前記アクセス規制がアクティブであることを示す第２の指示を、前記ＲＲＣレイヤから受信し、
前記サービスを開始するべく上位層から受信した第３の指示に応答して、前記サービスのためのＲＲＣ接続を確立するべく前記ＲＲＣレイヤへの要求を提供するためのものである
プログラム。
【請求項１８】
前記第２の指示は、前記アクセス規制をスキップするための追加の指示を含む
請求項１７に記載のプログラム。
【請求項１９】
前記アクセス規制を無視するための前記追加の指示は、前記サービスの指示を含む
請求項１８に記載のプログラム。
【請求項２０】
前記ＮＡＳレイヤは、
前記サービスが停止されているという第４の指示を、アプリケーションレイヤから受信し、
前記第４の指示に応答して、前記アクセス規制の前記スキップを停止するためのものである
請求項１７から１９のいずれか一項に記載のプログラム。
【請求項２１】
請求項１７から２０のいずれか一項に記載のプログラムを格納する非一時的コンピュータ可読記録媒体。